(57)【特許請求の範囲】
【請求項１】
多機能外科用器具であって、
管状部と、
前記管状部にスライド可能に搭載したフィンガーリング部と、
前記管状部の末端内にスライド可能に搭載した軸と、
前記軸及び前記管状部内に配置され、前記フィンガーリング部に接続した第一外科用ツールと、
前記軸及び前記管状部内に配置され、前記管状部の先端に接続した第二外科用ツールと、
前記管状部にスライド可能に搭載され、前記軸に取付られた作動部材と、を含むことを特徴とする多機能外科用器具。
【請求項２】
前記管状部が該管状部のガイド孔を規定し、
前記作動部材が、
前記管状部の外側に配置されるヘッド部分と、
前記ヘッド部から延在し、一部分が前記管状部に配置される伸張軸部分と、
前記伸張軸部分に配置され前記ガイド孔に受容されるスロットガイドと、を含む請求項１に記載の多機能外科用器具。
【請求項３】
前記スロットガイドが第一ガイドタブと第二ガイドタブとを有し、前記第一タブと前記第二タブが前記伸張軸部分の反対面に配置される請求項２に記載の多機能外科用器具。
【請求項４】
前記作動部材が、
前記フィンガーリング部の先端に配置された連動ヘッド部分と、
前記管状部の末端上に配置された軸取付部分と、
前記連動ヘッド部分と前記軸取付部分とに取付られ、前記管状部内に配置された接続部と、を含む請求項１に記載の多機能外科用器具。
【請求項５】
さらに、前記管状部の中に前記管状部の先端に配置され、前記作動部材と前記フィンガーリング部の先端に位置するバイアス部分を含む、請求項４に記載の多機能外科用器具。
【発明の詳細な説明】
【０００１】
【発明の属する技術分野】
本発明は多機能外科用器具に関し、特に、多機能外科用器具の外科用ツール作動組立体に関する。
【０００２】
【従来の技術】
従来、外科処置を行う際に多機能外科用器具が外科医によって用いられている。これらの多機能外科用器具は複数の外科用ツールを一つの器具内に含むため、外科医は患者に複数の器具を挿入したり取り除く必要がない。複数のツールを一つの器具に含むことによって外科医は効率よく処置を行うことができる。
【０００３】
【発明が解決しようとする課題】
しかし従来の多機能外科用器具には欠点がある。複数のツールが単一の器具に組み込まれているため外科用器具の機構は非常に複雑であり、これを用いる際に非効率的となっていた。そのため外科医が複数の外科用ツールが単一の器具に組み込まれることによって得られる効率は、この器具のツールを操作する際の複雑さと非効率性によって打ち消されていた。
【０００４】
そのため、複数の外科用ツールを含む器具を使用する外科医によってより効率よく使用され得る多機能外科用器具を提供することが望まれる。そこで、本発明は、上記課題を解決することのできる多機能外科用器具を提供することを目的とする。
【０００５】
【課題を解決するための手段】
上記課題を達成するために、本発明の一つの形態において、多機能外科用器具が、管状部と、前記管状部にスライド可能に搭載したフィンガーリング部と、前記管状部の末端上にスライド可能に搭載した軸と、前記軸及び前記管状部上に配置され、前記フィンガーリング部に接続した第一外科用ツールと、  前記軸及び前記管状部上に配置され、前記管状部の先端に接続した第二外科用ツールと、前記管状部にスライド可能に搭載され、前記軸に取付られた作動部材と、を含むことを特徴とする。
【０００６】
前記管状部が該管状部のガイド孔を規定し、前記作動部材が、前記管状部の外側に配置されるヘッド部分と、前記ヘッド部から延在し、一部分が前記管状部に配置される伸張軸部分と、前記伸張軸部分に配置され前記ガイド孔に受容されるスロットガイドと、を含んでいてもよい。
【０００７】
さらに、前記スロットガイドが第一ガイドタブと第二ガイドタブとを有し、前記第一タブと前記第二タブが前記伸張軸部分の反対面に配置されてもよい。
【０００８】
前記作動部材が、前記フィンガーリング部の先端に配置された連動ヘッド部分と、前記管状部の末端上に配置された軸取付部分と、前記連動ヘッド部分と前記軸取付部分とに取付られ、前記管状部内に配置された接続部と、を含んでもよい。
【０００９】
さらに、多機能外科用器具は、前記管状部の中に前記管状部の先端に配置され、前記作動部材と前記フィンガーリング部の先端に位置するバイアス部分を含んでもよい。
【００１０】
上記課題を達成するために、本発明の別の形態において、多機能外科用器具が、ボディ部と、前記ボディ部にスライド可能に搭載したフィンガーリング部と、前記ボディ部の末端上に取付られた軸と、前記軸及び前記ボディ部に配置され、前記フィンガーリング部に接続した第一外科用ツールと、前記ボディ部に回転可能に搭載され、前記フィンガーリング部と実施可能に連合した作動部材と、前記軸及び前記ボディ部上に配置され、前記作動部材に実施可能に接続された第二外科用ツールと、を含むことを特徴とする。
【００１１】
前記作動部材が円形ギアであり、プーリケーブルが前記フィンガーリング部から前記ギアまで延在して前記ギアを前記フィンガーリング部に実施可能に連結し、前記プーリケーブルがその末端に前記ギアに噛み合う歯を含んでもよい。
【００１２】
さらに、前記第二外科用ツールが、前記ボディ部中に配置され、前記ギアに噛み合う歯を持つハブを含んでもよい。
【００１３】
さらに、前記作動部材が、第一端にチャンネルを規定し、第二端に歯を持つギアで、プーリケーブルが前記フィンガーリング部から前記ギアに延在して前記ギアを前記フィンガーリング部に実施可能に連結し、前記プーリケーブルが末端に止め部材を持ち、前記プーリケーブルが前記チャンネル中に受容されてもよい。
【００１４】
さらに、多機能外科用器具は、前記ボディ部内に配置され、前記ギアと協動して前記ギアを第一位置にバイアスし、前記第二外科用ツールの末端が前記さやの中に配置されてバイアス部材を含んでもよい。
【００１５】
さらに、前記作動部材材が前記ボディ部の前記フィンガーリング部の先端に搭載され、前記作動部材がツール取付部分と連動部分とを含み、前記第二外科用ツールが前記ツール取付部分に取付られ、前記連動部分が前記フィンガーリング部と連合してもよい。
【００１６】
さらに、前記ツール取付部分が第一アーム部材と第二アーム部材とを有し、前記第一アーム部材及び前記第二アーム部材の両方が開き口を有し、前記ツール取付部分が第一長軸を持ち、前記連動部分が第二長軸を持ち、前記第一長軸は前記第二長軸からずれていてもよい。
【００１７】
上記課題を達成するために、本発明の別の形態において、多機能外科用器具は、ボディ部と、前記ボディ部の末端に取付られたハウジングと、前記ボディ部にスライド可能に搭載したフィンガーリング部と、前記ボディ部の末端上に取付られた軸と、前記ボディ部に配置され、前記ハウジング中に延在し、前記フィンガーリング部に接続し、連結手を持つ第一外科用ツールと、前記軸及び前記ハウジング内に回転可能に搭載された第二外科用ツールと、を含み、前記第一外科用ツールが前記ハウジング内を遠位方向に移動する時、前記連結手が前記第二外科用ツールと連動することを特徴とする。
【００１８】
さらに、多機能外科用器具は、前記ハウジングに配置されるバイアス部材を含んでもよい。
【００１９】
さらに、前記第二外科用ツールがハブを含み、前記連結手が前記ハブと連動してもよい。
【００２０】
さらに、前記ハブがチャンネルを含み、前記第一外科用ツールが前記チャンネル中に含んでもよい。
【００２１】
上記課題を達成するために、本発明の別の形態において、多機能外科用器具は、ボディ部と、前記ボディ部内にスライド可能に配置された第一ハブ器具と、
前記ボディ部内にスライド可能に配置された第二ハブ器具と、前記ボディ部にスライド可能に搭載されたフィンガーリング部と、及び前記フィンガーリング部内に搭載され、前記第一及び第二ハブ器具と選択的に連動可能な外科用ツール作動組立体と、を含むことを特徴とする。
【００２２】
前記外科用ツール作動組立体が前記フィンガーリング部内に回転可能に搭載され、トップスイッチ部材とボトムスイッチ部材を含み、前記トップスイッチ部材と前記ボトムスイッチ部材は、前記トップスイッチ部材がユーザーによって手動で回転され、前記第一及び第二ハブ器具の中の一つと噛み合うとき、前記ボトムスイッチ部材が自動的に回転して前記第一及び第二ハブ器具の中の他の一つと噛み合うように互いに連動してもよい。
【００２３】
さらに、前記トップスイッチ部材がハブ器具作動部材と、ボトムスイッチ部材連動タブとを含み、前記ハブ器具作動部材と前記ボトムスイッチ部材連動タブが前記トップスイッチ部材の第一面に取付られ、前記フィンガーリング部内に配置されてもよい。
【００２４】
さらに、前記ボトムスイッチ部材がハブ器具ロック部材とトップスイッチ連動部材とを含んでもよい。
【００２５】
さらに、前記フィンガーリング部が、第一ハウジングと第二ハウジングを含み、前記外科用ツール作動組立体が、前記第一ハウジング内にスライド可能に配置された第一作動ボタンと、前記第二ハウジング内にスライド可能に配置された第二作動ボタンと、を含んでもよい。
【００２６】
さらに、前記第一ハブ器具が前記第一作動ボタンと連動可能な第一ハブ連動部材を含み、前記第二ハブ器具が前記第二作動ボタンと連動可能な第二ハブ連動部材を含んでもよい。
【００２７】
さらに、前記外科用ツール作動組立体がガイド構造と、前記ガイド構造に配置される作動タブとを含んでもよい。
【００２８】
さらに、前記ガイド構造が第一長軸を持つ第一ガイド孔と、第二長軸を持つ第二ガイド孔とを規定してもよい。
【００２９】
さらに多機能外科用器具が、前記ボディ部の末端に取付られた軸圧力解放部材を含んでもよい。
【００３０】
さらに、前記フィンガーリング部が指を入れる作動ガイド構造を含み、前記ガイド構造が前記指を入れる作動ガイド構造内に受容されてもよい。
【００３１】
さらに、前記ボディ部が、前記第一及び第二ガイド孔に受容されるガイド棒を含んでもよい。
【００３２】
上記課題を達成するために、本発明の別の形態において、外科用ツール作動組立体第一ツールが、受容部材と、第二ツール受容部材とを含むボディ部と、前記ボディ部に回転可能に搭載され、前記第一ツール受容部材と前記第二ツール受容部材と選択的に連動可能なツールロックアウトスイッチと、を含み、前記ツールロックアウトスイッチが前記第一又は第二ツール受容部材の中の１つと連動するとき、連動している前記ツール受容部材中に配置された外科用ツールがそのツールを使用するユーザーの使用を停止することを特徴とする。
【００３３】
前記ツールロックアウトスイッチが、前記ボディ部に搭載されたハブと、前記ハブと前記第一ツール受容部材との間に配置された第一ロック部材と、前記ハブと前記第二ツール受容部材との間に配置された第二ロック部材とを含んでもよい。
【００３４】
さらに、前記ハブがその部分に貫通部を有してもよい。
【００３５】
【発明の実施の形態】
［第１実施例］
図１には本発明の基本理念に基づき、外科用ツール作動組立体の第一実施例を示す。本発明は多機能外科用ツールが外科用器具に含まれる場合、外科用器具の種々の異なる構成で実行され得、本発明は多機能器具それ自身の特定の実施に実行されることには限られない。本発明の多機能外科用器具の第一実施例及びツール作用部の第一実施例を図１に示している。
【００３６】
図１に示したように、外科用器具１００は多機能外科用器具で、シュリンゲである第一外科用ツール１５０と、図１の実地例では注射針として示されている第二外科用ツール１６０とを含む。図１に見られるように、外科用器具１００は軸又はさや１２０と、フィンガーリング１３０と、作動ボタン１７０とを含む。シュリンゲ１５０と針１６０は、作動位置にないとき、さや１２０内に配置される。シュリンゲ１５０と針１６０は種々のどのような公知のツールであってもよく、本発明はシュリンゲや針の特定の実施例には限られない。さらに、前述したように、本発明は第一外科用ツール１５０がシュリンゲで、第二外科用ルール１６０が針である実施例には限定されない。本発明は、例えばブラシ、つかみ、バルーン、焼灼器、バスケットなどの、種々のどのようなツールであってもよい。
【００３７】
ボディ部１１０は、一般的には管状部材で、ボディ部の末端１１２Ａ内にガイド孔１１４を含み、先端１１２Ｂに親指リング１４０を含む。ボディ部１１０には、針１６０中から患者の体に注入するために液体を外科用器具１００に供給するのに用いられる注射口１３２が含まれる。ガイド孔１１４はボディ部１１０の反対面に形成された開口からなり、その開口はボディ部１１０中に延在する。作動ボタン１７０はボディ部１１０内をスライドするようにボディ部１１０内に配置される。このように、作動ボタン１７０はヘッド部分１７２と、伸張軸部分１７４と、スロットガイド１７６とを含む。スロットガイド１７６は、伸張軸部分１７４の反対面に配置され、ボディ部１１０のガイド孔１１４に受容される２つのガイドタブからなる。このように作動ボタン１７０はボディ部１１０内にボディ部１１０に対してスライドするように配置されている。さらに、作動ボタン１７０はさや１２０に精密に取付られ、ボディ部１１０に対してスライドするようにボディ部１１０内に配置されている。作動ボタン１７０はさや１２０の一部をボディ部１１０内に収容するために用いられる。さらに述べるように、さや１２０がボディ部１１０に収容されると針１６０の末端１６２がさや１２０の末端１２２から露出する。
【００３８】
図１〜４の実施例、本明細書で後述する実施例、又は当業者によって考えられる実施例におけるさや又は軸１２０は、剛直な構造でも柔軟な構造でもどちらであってもよい。本発明はさや又は軸１２０の特定の物理的構造には限定されず、この構造は本発明が用いられる外科用器具の種類によって決定される。
【００３９】
フィンガーリング部１３０はボディ部１１０上に、ボディ部１１０をスライドするために配置されている。以下にさらに述べるように、フィンガーリング部１３０はシュリンゲ１５０に取付られ、シュリンゲ１５０がさや１２０に収容される動きと、さや１２０の末端１２２からシュリンゲ１５０が伸張する動きとを制御する。
【００４０】
図２は、図１の外科用器具１００の断面図であり、外科用器具１００中のシュリンゲ１５０と、針１６０と、及びさや１２０との内部結合を示す。図２に見られるように、針１６０は固定長を持つ針で、その先端１６４で注射口１３２に精密に取付られている。シュリンゲ１５０はフィンガーリング部１３０のシュリンゲ取付部材１３４に精密に取付られている。シュリンゲ取付部材１３４はその中に延在する開き口１３５を持っており、そのため針１６０がシュリンゲ取付部材１３４中に延在することができる。
【００４１】
図２ではまた、さや１２０が作動ボタン１７０に取付られれている。さや１２０の先端１２４は作動ボタン１７０に精密に取付られている。そのため、さや１２０はボディ部１１０内に配置されているが、ボディ部１１０に直接取付られていないため、ユーザーが作動ボタン１７０をボディ部１１０のガイド孔１１４内でスライドさせることにより、さや１２０はボディ部１１０の中に収容されたりボディ部１１０から伸張したりできる。針１６０をボディ部１１０に（注射口への取付を介して）、シュリンゲ１５０を取付部材１３４に、そして作動ボタン１７０をさや１２０に取付る方法は、どのような方法であってもよく、本発明は特定の取付方法に限定されない。例えば、各部材は対応する取付部材に接着剤で取付られてもよく、ねじやリベットなどの取付金具を用いて取付られてもよい。
【００４２】
外科用器具１００の各ツールの作用を以下に示す。図１は、シュリンゲ１５０と針１６０がさや１２０の中に完全に入っている配置を示している。
【００４３】
ここで見られるように、この配置では、シュリンゲ１５０と針１６０がさや１２０内に配置されており、フィンガーリング部１３０がボディ部１１０の先端１１２Ｂに配置されており、作動ボタン１７０がガイド孔１１４の末端１１４Ａに配置される。
【００４４】
図３は、針１６０がさや１２０の末端１１２から露出した外科用器具１００の配置を示す。ここで見られるように、作動ボタン１７０をガイド孔１１４内をボディ部１１０に対して先端方向に移動する。さや１２０が作動ボタン１７０に精密に取付られているため、作動ボタン１７０がボディ部１１０に沿って先端方向に移動すると、さや１２０もボディ部１１０に沿って先端方向に移動し、ボディ部１１０部内に引っ込む。この結果、ボディ部１１０の末端１１２Ａから延在するさや１２０の効果的な長さが短くなる。針１６０が固定長を持ち、その長さはさや１２０が完全に伸張したとき、針１６０の末端１６２がさや１２０内に配置される長さに選択されているため、さや１２０がボディ部１１０部内に引っ込むと、針１６０の末端１６２が、さや１２０の末端１２２から露出する。そのため、針１６０をさや１２０から露出させるためには、針１６０はボディ部１１０に対して動かされず、しかしさや１２０をボディ部１１０に対して移動させる。このようにすると、針１６０の末端１６２がさや１２０の末端１２２から露出する。このように、外科医は、外科用器具１００のさや１２０の動きを制御する作動ボタン１７０を容易に操作することによって外科用器具から針１６０の伸張と収縮を制御することができる。
【００４５】
図４は、シュリンゲ１５０の作用を示す。図４からわかるように、フィンガーリング部１３０はここでは第二位置にあるように、フィンガーリング部１３０をボディ部１１０に沿って末端方向にスライドする。シュリンゲ１５０がフィンガーリング部１３０に精密に取付られているため、ボディ部１１０に対してフィンガーリング部１３０が動くと、どのような動きであっても、シュリンゲ１５０はフィンガーリング部が動く距離と同じ長さだけ動く。そのため、フィンガーリング部１３０がボディ部１１０に対して末端方向に動きその第二位置に動くと、シュリンゲ１５０の作動部分である末端１５２は、さや１２０の末端１２２の外側に配置される。前述したように、シュリンゲ１５０をフィンガーリング部１３０に取付るシュリンゲ取付部材１３４は開き口１３５を含み、フィンガーリング部１３０は針１６０の動きに影響を与えることなく、ボディ部１１０上を動くことができる。針１６０がシュリンゲ取付部材の開き口１３５上に配置されるとき、フィンガーリング部１３０及び取付部材１３４は、針１６０をただ通過させる。そのためフィンガーリング部１３０の操作によるシュリンゲ１５０の動き及び作用は、作動ボタン１７０による針１６０の動き及び作用からは独立する。
【００４６】
そのため、本発明の図１〜４に示された実施例は、第一外科用ツール及び第二外科用ツールの独立の作用を与え、各ツールの容易な作用機構を与える。
【００４７】
そのため、針１６０を作動する作用機構のために図１〜４の実施例に含まれ得る付加的な特徴は、さや１２０がボディ部１１０から完全に伸張した第一位置に作動ボタン１７０を偏向させるバイアス手段と、作動ボタンがボディ部１１０内にさや１２０を引っ込めて針１６０をさや１２０から露出させる第二位置に作動ボタンを固定するロック装置とである。これらの付加的な特徴は本発明を実施する際に必ずしも必要ではないが、ユーザーがこのツールを操作するのをより容易にするために提供されてもよい。
【００４８】
これらの特徴は特定の実施例には限られず、これらの特徴を実行するために種々の機構が用いられ得る。例えば、作動ボタン１７０をその第一位置に偏向させるために作動ボタン１７０と連動するバイアスバネがボディ部１１０内に提供され得る。ユーザーが作動ボタン１７０をその第二位置に動かしたいときは、ユーザーは、作動ボタン１７０をその第一位置に偏向する偏向力に打ち勝つ十分な圧力を作動ボタン１７０に与えるだけでよい。固定する特徴が必要なときは、ボディ部１１０上に与えられるロック孔と協動できるロックタブが作動ボタン１７０上に与えられる。作動ボタン１７０がガイド孔１１４内を先端方向に動かされるとき、ロックタブは上にあがり、ロック孔と連動するカム表面にあがり、ロックタブがカム表面上を移動すると、ロックタブはボディ部１１０に含まれるスロット内で連動することができる。ユーザーが作動ボタン１７０をボディ部１１０に沿って、末端方向に動かして、その第一位置に戻したいとき、ユーザーは手動で作動ボタン１７０を持ち上げ、ボディ部上の孔からはずし、そのためロックタブとロック孔との連動がなくなり作動ボタンはその第一位置に戻る。再度、本発明はこれらの特徴と共に実行される必要はなく、これらの特徴が組み込まれた場合、本発明はこれらの特徴を実行する特定の機構には限定されない。
【００４９】
［第２実施例］
図５〜８は、本発明の外科用作動ツールの第２実施例を示す。後述するように、図５〜８に実施された本発明は、図１〜４に実施された実施例と同様の方法で作用し、多機能外科用器具２００のボディ部分２１０内にさや２２０が収容される作用機構は異なる構造からなる。
【００５０】
図１〜４に示された外科用器具と同様に、図５の外科用器具２００は、ボディ部分２１０と、ボディ部分２１０の末端内に部分的に配置された収縮可能なさや２２０と、ボディ部分上を移動するようにボディ部分２１０上に配置されたスライドフィンガーリング部２３０とを含む。外科用器具２００は図１〜４の実施例のシュリンゲとして示された第一外科用ツール２５０と、図１〜４のツールと同様に針として示された第二外科用ツール２６０とを含む。また、本発明は、種々の異なるツールを外科用器具２００と共に用いることによって実行されてもよい。
【００５１】
外科用ツール２００はまた収縮部材２７０を含む。以下に述べるように、収縮部材２７０はボディ部分２１０の内部で、さや２２０の先端２２４に精密に取付られる。収縮部材２７０は外科用器具２００の先端２１２Ｂに配置された連動ヘッド部分２７２と、外科用器具２００の末端２１２Ａでボディ部分２１０内に配置されたさや取付部分２７４とを含む。さや取付部分２７４は、その反対面に配置されたスロットガイド２７６を含む。図１〜４の実施例と同様に、スロットガイド２７６は、外科用器具２００の末端２１２Ａでボディ部分２１０に含まれるガイド孔２１４内に受容される。
【００５２】
図６は、図５の外科用器具２００の断面図であり、シュリンゲ２５０と針２６０とさや２２０の外科用器具２００への取付を示す。図１〜４の実施例と同様、針２６０は固定長の部材からなり、外科用器具２００の先端２１２Ｂに配置された注射口２３０に精密に取付られる。注射口２３０は、患者の体内に注入される液体を注射針２６０に供給するために用いられる。図１〜４の実施例について前述したように、シュリンゲ２５０はスライドフィンガー部に含まれるシュリンゲ取付部材２３４に精密に取付られる。シュリンゲ取付部材は、針２６０が注射口２３０に精密に取付られるよう、シュリンゲ取付部材２３４内にを通り抜けられるように、その中を完全に延在する第一開き口２３５を含む。さや２２０は、収縮部材２７０のさや取付部分２７４に精密に取付られる。収縮部材２７０のさや取付部分２７４は収縮接続部材２７８によって、収縮部材２７０の連動ヘッド部分２７２に接続される。収縮接続部材２７８はさや取付部分２７４を連動ヘッド部分２７２に精密に取付る延長部材である。収縮接続部材２７８は外科用器具２００の中空ボディ部分２１０内に配置される。シュリンゲ取付部材２３４は収縮接続部材２７８がその中に延在する第二開き口２３６を含む。
【００５３】
図６に見られるように収縮部材２７０の連動ヘッド部分２７２は外科用器具２００のボディ部分２１０上からスライドフィンガーリング部２３０に含まれる二つのフィンガーリング２３８の後部までの間に配置される。バイアス部材２８０が外科用器具２００のボディ部分２１０内に配置され、以下に説明するように、さや２２０が外科用器具２００のボディ部分２１０から完全に伸張する第一位置に収縮部材２７０を偏向するのに用いられる。
【００５４】
外科用器具２００の作用について以下に説明する。
【００５５】
図５に示すようにシュリンゲ２５０及び針２６０は外科用器具２００のさや２２０内に完全に収縮される。このようにスライドフィンガーリング部２３０はボディ部分２１０と収縮部材２７０の先端２１２Ｂで第一位置にあり、その結果収縮部材２７０のスロットガイド２７６はスロットガイド２７６がボディ部分２１０中のガイド孔２１４の末端２１４Ａに位置する第一位置にある。このように収縮部材２７０の第一位置では、さや２２０は外科用器具２００のボディ部分２１０から完全に伸張する。
【００５６】
図７は針２６０がさや２２０から露出している外科用器具２００の配置を示す。ここで見られるように針２６０の末端２６２はさや２２０の末端２２２から伸張する。針２６０の末端２６２をさや２２０から伸張させるためにユーザーは、スライドフィンガーリング部２３０を外科用器具２００のボディ部分２１０に沿って先端方向に動かす。スライドフィンガーリング部２３０を先端方向に動かすとフィンガーリング部２３０と収縮部材２７０の連動ヘッド部分２７２とが連動する。フィンガーリング部２３０がボディ部分２１０に沿って先端方向への動きを続けると、フィンガーリング部２３０が収縮部材２７０をボディ部分２１０に沿って先端方向に動かす。ユーザーがスライドフィンガーリング部２３０をボディ部分２１０に沿って先端方向に動かすと収縮部材２７０をその第一位置に偏向しているバイアス部材２８０による力に逆らって収縮部材２７０がボディ部分２１０に沿って先端方向に押される。
【００５７】
さや取付部分２７４は収縮接続部材２７８を介して収縮部材２７０の連動ヘッド２７２に接続されているが、収縮部材２７０をボディ部分２１０に沿って先端方向に動かすと、そのさや取付部分２７４もまたボディ部分２１０のガイド孔２１４内で先端方向に動かされる。さや２２０はさや取付部分２７４に精密に取付られているため、さや取付部分２７４を先端方向に動かすと、さや２２０がボディ部分２１０内に収容される距離だけ露出したさやの距離が短くなる。さや２２０をボディ部分２１０内に収縮させると、針２６０の末端２６２がさや２２０の末端２２２から露出する。そのためスライドフィンガーリング部２３０の先端方向への動きにより収縮部材２７０はボディ部分２１０に対して先端方向に動かされ、そうしてさや２２０がボディ部分２１０内に収縮する。さや２２０がボディ部分２１０内に収縮することにより、針２６０の末端２６２がさや２２０の末端２２２から露出する。ユーザーがスライドフィンガーリング部をボディ部分２１０に沿って先端方向に動かしている力をスライドフィンガーリング部２３０から除くとバイアス部材２８０が収縮部材２７０を偏向しその第一位置に戻す。それからそこではさや２２０がボディ部分２１０から完全に伸張し針２６０の末端２６２をさや２２０内に配置させる。
【００５８】
図５〜８の実施例のシュリンゲ２５０は針２６０から独立して操作される。図５はシュリンゲ２５０がさや２２０内に完全に収容されている外科用器具２００の配置を示す。この配置ではフィンガーリング部２３０は、ボディ部分２１０の先端２１２Ｂに位置する第一位置にある。図８に示したようにシュリンゲ２５０の作動部分であるシュリンゲ２５０の末端部分２５２をさや２２０から伸張させるためにユーザーはスライドフィンガーリング部２３０をボディ部分２１０に沿って末端方向に動かす。スライドフィンガーリング部２３０を末端方向に動かすとシュリンゲ２５０も末端方向に動き、そのためシュリンゲ２５０の末端部分２５２がさや２２０から伸張する。シュリンゲ取付部材２３４に開き口が与えられているため、フィンガーリング部２３０はボディ部分２１０に沿ってスライドすることができ針２６０の動きに影響を与えない。
【００５９】
そのため、図５〜８の作動ツールの実施例は多機能外科用器具の個々のツールに独立した作用を与え、また各ツールを作動するユーザーに容易な作用機構を与える。
【００６０】
［第３実施例］
図９〜１２には本発明の作動ツールの第３実施例を示す。図９及び１０からわかるように外科用器具３００は、ボディ部分３１０と、ハウジング３２０と、シュリンゲとして示される第一外科用ツール３５０と、注射針として示される第二外科用ツール３６０と、を含む。ボディ部分３１０上には、その上をスライドするスライドフィンガーリング部３３０が配置されている。ハウジング３２０はボディ部分３１０と一体で形成されてもよく、また連結ジョイント３１５として示されたオスメス連結ネジを用いるなどして取り外し可能にボディ部分３１０に接続されてもよい。連結ジョイント３１５はボディ部分３１０の末端３１０Ｂに配置されたオスネジ部分を含む。このオスネジ部分はハウジング３２０の先端に含まれるメスネジ部分の内部に受容される。しかしながら前述したように本発明はハウジング部分３２０をボディ部分３１０に連結する特定の配置には限られない。
【００６１】
図９に示したようにハウジング３２０は第一チャンネル３２２と第二チャンネル３２４を含む。第一チャンネル３２２にはプーリケーブル３２３が配置され、第二チャンネル３２４にはニードルハブ３６２が配置される。プーリケーブル３２３は歯部分３２３Ｂを含み、その先端３２３Ａでスライドフィンガーリング部３３０またはシュリンゲ３５０のどちらかに精密に取付られる。上述したように、プーリケーブル３２３の先端３２３Ａはスライドフィンガーリング部３３０またはシュリンゲ３５０のどちらかに精密に取付られることができ、本発明はプーリケーブル３２３の先端３２３Ａが取付られる特定の点には限定されない。スライドフィンガーリング部３３０がボディ部分３１０に沿って末端方向に動かされるとき、プーリケーブル３２３もまた末端方向に動かされるように、プーリケーブル３２３がスライドフィンガーリング部３３０に直接または直接でなくても取付られることが必要である。以下に述べるように、プーリケーブル３２３の歯部分３２３Ｂはギア３７０と連動する。プーリケーブル３２３は、力が及ぼされているときプーリケーブルがその力に応じて剛直体として動くように剛直部材である。
【００６２】
第二チャンネル３２４内にはニードルハブ３６２が配置されている。以下に説明するように、ニードルハブ３６２はギア３７０とかみ合う歯３６４を含む。注射針３６０はニードルハブ３６２に精密に取付られる。ニードルハブ３６２は第二チャンネル３２４内をスライドするように配置される。ここで見られるように、ニードルハブ３６２には注射口３６６が与えられている。この注射口３６６は患者の体内に注入される液体を針３６０に供給するためである。図１０に見られるようにハウジング３２０にはニードルハブ３６２がハウジング３２０内をスライドして動けるように孔３２０Ａが与えられている。
【００６３】
ハウジング３２０内にはシュリンゲ装置である第二外科用ツール３５０が配置され、第二外科用ツール３５０はボディ部分３１０内に延在し、スライドフィンガー部３３０に精密に取付られている。このようにシュリンゲ３５０はニードルハブ３６２に与えられている孔３６２Ａを通る。ニードルハブ３６２内の孔３６２Ａが図１０に示されている。シュリンゲ３５０の末端部分３５０Ｂと針３６０の末端部分３６０Ｂはこれらのツールが非作用位置にあるとき、さや３２８内に配置される。
【００６４】
本発明の図９〜１２に実施された作動ツールの作用について以下に述べる。
【００６５】
図９及び１０はシュリンゲ３５０と注射針３６０の両方が外科用器具３００のさや３２８内に完全に位置するときの外科用器具３００の配置を示す。図１１は針３６０が外科用器具３００のさや３２８から伸張するときの外科用器具３００の配置を示す。図１１に示すように、針３６０をさや３２８の末端３２８Ａから伸張するために、ユーザーはフィンガーリング部３３０をボディ部分３１０の先端３１０Ａにボディ部分３１０に沿って先端方向にスライドする。プーリケーブル３２３が上述したように、直接または直接でなくともフィンガーリング部３３０に精密に接続されているため、フィンガーリング部３３０を先端方向にスライドすることにより、プーリケーブル３２３もまた先端方向に動かされる。このプーリケーブル３２３の先端方向への動きにより、プーリケーブル３２３の連動歯３２３Ｂがギア３７０とかみ合う。歯３２３Ｂが先端方向に動くと、ギア３７０がハウジング３２０内で反時計方向に回転する。ギア３７０はまたニードルハブ３６２に含まれる歯３６４とかみ合うため、ギア３７０が反時計方向に回転すると、このギア３７０の反時計方向の回転によりニードルハブ３６２が第二チャンネル３２４で末端方向に動く。針３６０がニードルハブ３６２の末端に精密に取付られているため、第二チャンネル３２４内のニードルハブ３６２の末端方向への動きにより、針３６０の末端３６０Ｂがさや３２８の末端３２８Ａから伸張する。そのためフィンガーリング部３３０の先端方向への動きによりプーリケーブル３２３の歯３２３Ｂ、ギア３７０及びニードルハブ３６２の歯３６４との内部動作により針３６０がさや３２８から伸張する。
【００６６】
針３６０をさや３２８に収縮するためには、スライドフィンガーリング部３３０はボディ部分３１０に沿って末端方向に動かされ、図９及び１０に示したようにシュリンゲ３５０がさや３２８内にまだ収縮されている状態の最初の位置に戻る。スライドフィンガーリング部３３０がこの位置まで末端方向に動かされるとプーリ歯３２３Ｂはギア３７０とかみ合い、ギア３７０を時計方向に回転しそのためニードルハブ３６２が先端方向に動き針３６０をさや３２８の中に収縮して戻す。
【００６７】
図１２はシュリンゲ３５０がさや３２８の外側に伸張したときの外科用器具３００の配置を示す。シュリンゲ３５０をさや３２８から伸張させるためには、ユーザーはフィンガーリング部３３０をボディ部分３１０に沿って末端方向にスライドし、図９及び図１０に示した位置を越えてボディ部分３１０に沿って末端方向にスライドする。図１２に示したようにフィンガーリング部３３０はユーザーによってボディ部分３１０の末端３１０Ｂに動かされる。フィンガーリング部３３０をボディ部分３１０に沿って末端方向に動かすと、プーリケーブル３２３の連動歯３２３Ｂがギア３７０を越えてそしてハウジング３２０の末端に与えられた開き口を通って延在する。このようにプーリケーブル３２３はもはやギア３７０とかみ合わず、ギア３７０を回転しない。フィンガーリング部３３０がボディ部分３１０に沿って末端方向に動かされるとき、ギア３７０がニードルハブ３６２と連動していないため、またギア３７０がプーリケーブル３２３によって回転されていないため、ニードルハブ３６２そして結果的に針３６０はスライドフィンガーリング部３３０がボディ部分３１０に沿って末端方向に動かされるときに動かされない。しかしシュリンゲ３５０は剛直でありスライドフィンガーリング部３３０に直接取付られているため、フィンガーリング部３３０がボディ部分３１０に沿って末端方向に動くときシュリンゲ３５０も末端方向に動き、シュリンゲの作動端であるシュリンゲ３５０の末端３５０Ａをさや３２８の末端３２８Ａから露出する。このようにフィンガーリング部３３０のボディ部分３１０に沿った末端方向への動きにより、シュリンゲ３５０が外科用器具３００のさや３２８から露出する。
【００６８】
シュリンゲ３５０をさや３２８に収縮して戻すため、ユーザーはフィンガーリング部３３０をボディ部分３１０に沿って先端方向にスライドし図９及び１０に示した位置までスライドする。
【００６９】
［第４実施例］
図１３〜１６は本発明の作動ツールの第四実施例を示す。ここで見られるように、図１３〜１６の作動部は図９〜１２に開示された作動部と同様の方法で作用する。図１３〜１６の実施例ではプーリケーブルと連動ギアの配置が変更されている。外科用器具４００の外科用ツール中のシュリンゲと針の取付に対する配置は図１３〜１６に示した第四実施例でも同様である。
【００７０】
図１３に見られるように、外科用器具４００もまた、ボディ部分４１０とハウジング４２０とを有す。ハウジング４２０は図９〜１２の実施例で示したのと同様のボディ部分４１０に連結ジョイント４１５を介して取付られている。ボディ部分４１０にはフィンガーリング部４３０がスライド可能に搭載される。ハウジング４２０は第一チャンネル及び第二チャンネルを含む。プーリケーブル４２３が第一チャンネル４２２内に配置される。プーリケーブル４２３は直接的または直接的でなくフィンガーリング部４３０と連動して動くようにフィンガーリング部４３０に精密に取付られる。プーリケーブル４２３はプーリケーブル４２３の末端に配置されたストップ部材４２３Ｂを含む。
【００７１】
第二チャンネル４２４内にはニードルハブ４６２が配置される。ニードルハブ４６２は連動歯４６４と注射口４６６とを含む。ニードルハブ４６２には注射針４６０が精密に取付られている。注射針４６０はその先端４６０Ａでニードルハブ４６２に精密に取付られ、注射針４６０の末端４６０Ｂはさや４２８内に配置される。また針４６０の末端４６０Ｂは非作用位置にあるとき、ハウジング４２０の末端に含まれる。シュリンゲ４５０はハウジング４２０内で先端方向に延在し、その先端４５０Ａがスライドフィンガーリング部４３０に精密に取付られる。シュリンゲ４５０はチャンネル４２４内でハウジング４２０を通り、そのためニードルハブ４６２は、シュリンゲ４５０がチャンネル４２４をニードルハブ４６２の動きに影響を与えないように通る孔４６２Ａを含む。シュリンゲ４５０が作用位置にあるとき、シュリンゲ４５０の末端４５０Ｂはさや４２８の末端から伸張する。
【００７２】
ハウジング４２０内にはギア４７０が含まれる。図１３〜１６の実施例ではギア４７０は図９〜１２の実施例のギアがそうであったように、円形のギアとしては配列されない。しかしギア４７０は図９〜１２のギアの同様の機能を有し、同様の作用を実現する。ギア４７０はハウジング４２０内に配置されたピン４２１Ａ上に搭載される。このようにギア４７０はピン４２１Ａの廻りを回転することができる。ギア４７０はニードルハブ４６２に含まれる連動歯４６４と協動する連動歯４７２を含む。ギア４７０はまた、プーリケーブル４２３が通過するチャンネル４７３を含む。プーリケーブル４２３のストップ部材４２３Ｂはギア４７０内のチャンネル４７３の末端面に配置される。このようにプーリケーブル４２３はチャンネル４７３から完全には収縮できない。プーリケーブル４２３はストップ部材４２３Ｂと、チャンネル４７３を規定するギア４７０の構造との相互作用によりギア４７０から完全に収縮することを防ぐ。
【００７３】
ギア４７０にはピン４７４が含まれる。以下に述べるように、ピン４７４はバイアス部材４８０と協動する。さらに述べるように、バイアス部材４８０は、ピン４７４とピン４２１Ｂと協動し、ハウジング４２０内に配置されるが、針４６０がさや４２８内に収容される第一位置にギア４７０を偏向する。
【００７４】
図１３〜１６の実施例のツール作動組立体の作用について以下に述べる。
【００７５】
図１３及び１４は針４６０とシュリンゲ４５０がさや４２８内に完全に収容されている外科用器具４００の配置を示す。図１５は注射針４６０がさや４２８から伸張したときの外科用ツール４００の配置を示す。
【００７６】
針４６０をさや４２８中から伸張するためユーザーはフィンガーリング部４３０をボディ部４１０に沿って先端方向に図１５に示す位置にスライドする。プーリケーブル４２３は直接または直接でなくフィンガーリング部４３０に精密に取付られているため、フィンガーリング部４３０がボディ部４１０に沿って先端方向に動くとき、プーリケーブル４２３も先端方向に動く。プーリケーブル４２３が先端方向に動かされるとき、ストップ部材４２３Ｂがギア４７０とかみ合い、ギア４７０をピボットピン４２１Ａの回りに反時計方向に回転させる。ストップ部材４２３Ｂはギア４７０内に形成されたチャンネル４７３を完全に通り抜けられない大きさであるため、プーリケーブル４２３が先端方向に移動するとき、ギア４７０がストップ部材４２３Ｂと、チャンネル４７３を規定する構造との相互作用によりギア４７０が反時計方向に回転する。スライドフィンガーリング部４３０はギア４７０がバイアス部材４８０によってギア４７０に及ぼされている偏向力に逆らってギア４７０を反時計方向に回転する十分な力で、ボディ部分４１０に沿って先端方向に動かされなければならない。ギア４７０がピボットピン４２１Ａの回りを反時計回りに回転するとき、ギア４７０の連動歯４７２はニードルハブ４６２の歯４６４とかみ合う。ギア４７０が反時計方向に連続的に回転するとき、歯４７２と歯４７４との相互作用によりニードルハブ４６２がハウジング４２０のチャンネル４２４内を末端方向に動かされる。針４６０がニードルハブ４６２に精密に取付られているため、ニードルハブ４６２が末端方向に動くと、さや４２８内の針４６０の末端４６０Ｂも末端方向に動き、そのため針４６０の末端４６０Ｂがさや４２８の末端４２８Ａを越えて伸張する。
【００７７】
ユーザーがフィンガーリング部４３０に及ぼす力を解除したとき、バイアス部材４８０はギア４７０を時計方向に動かすように働きハブ４６２をハウジング４２０内のチャンネル４２４内で先端方向に動かす。そのためユーザーがフィンガーリング部４３０への力を解除したとき、このバイアス部材４８０がギア４７０を時計方向に回転するように作用する力のために注射針は自動的にさや４２８内に収縮する。ギア４７０の時計方向への回転はチャンネル４２４内でニードルハブ４６２を先端方向に動かし、そのため、さや４２８内に針４６０を収縮する。
【００７８】
図１６はシュリンゲ４５０がさや４２８から露出したときの外科用器具４００の配置を示す。シュリンゲ４５０をさや４２８から伸張するためにユーザーがフィンガーリング部４３０をボディ部４１０に沿って末端方向にスライドする。図１６はフィンガーリング部がボディ部４１０の末端４１０Ｂに動かされた後の図を示す。フィンガーリング部４３０はボディ部４１０内を末端方向に動かされ、プーリケーブル４２３がギア４７０中に与えられたチャンネル４７３中を通る。ストップ部材４２３Ｂがハウジング４２０内のチャンネル４２２の末端部分を通り、プーリケーブル４２３の最も末端の部分が、ハウジング４２０の末端部分に配置されたハウジング４２０中の開き口を通って伸張する。そのためプーリケーブル４２３とギア４７０との間の相互作用が無くなる。プーリケーブル４２３はただギア４７０を通る。そのためフィンガーリング部４３０の末端方向への動きはギア４７０の回転を与えない。しかしながらシュリンゲ４５０がスライドフィンガーリング部４３０に精密に取付られているため、スライドフィンガーリング部４３０が末端方向に動かされるとシュリンゲもさや４２８の末端４２８Ａから伸張するように末端方向に動かされる。ニードルハブ４６２中に孔４６２Ａが与えられているため、シュリンゲ４５０はニードルハブ４６２がチャンネル４２４で動かないように通過する。このように図１６はシュリンゲ４５０の作動端であるシュリンゲ４５０の末端４５０Ｂがさや４２８から伸張したときの配置を示す。
【００７９】
シュリンゲ４５０をさや４２８内に収容するため、ユーザーはフィンガーリング部４３０をボディ部４１０に沿って先端方向にスライドし図１３及び１４で示した位置に戻す。
【００８０】
［第５実施例］
図１７は本発明のツール作動組立体の第五実施例を示す。ここで見られるように、外科用器具５００はボディ部分５１０とハウジング部分５２０とを含む。ボディ部分５１０は中空の円柱部材で第一外科用ツール５５０をその内部に含む。図示するために第一ツール５５０はシュリンゲとして説明されるが、しかし第一外科用ツール５５０はどのような種々の異なる外科用ツールであってもよい。フィンガーリング部５３０がボディ部５１０上にスライド可能に配置されている。フィンガーリング部５３０はボディ部５１０に沿って先端方向及び末端方向に移動可能に配置される。シュリンゲ５５０はシュリンゲ５５０の先端５５０Ｂでフィンガーリング部５３０に精密に取付られる。そのためスライドフィンガーリング部５３０がボディ部５１０に沿って動かされるとき、シュリンゲ５５０もボディ部５１０内で動く。シュリンゲ５５０には連結手５５２が取付られている。連結手５５２はシュリンゲ５５０に精密に取付られ、ボディ部５１０内に配置される。ボディ部５１０の末端５１０Ａはオス型ネジ部分を含み、そのため内部にメス型ネジ部分を含むハウジング５２０と連結することができる。ボディ部５１０はハウジング５２０と接続ジョイント５１５で連結される。
【００８１】
ハウジング５２０は第二外科用ツールを含み第二外科用ツールは図示する目的のため注射針５６０として説明される。図１７に示したようにハウジング５２０はニードルハブ５６４とニードルハブ５６４に接続した針５６０とを含む。患者の体内に注入するための液体を注射針５６０に与えるために、注射口５６２がニードルハブ５６４に公知の技術に従い設置される。ニードルハブ５６４はハウジング５２０内に形成されたチャンネル５２２内に配置される。そのためニードルハブ５６４はハウジング５２０内を末端方向及び先端方向に移動可能である。ハウジング５２０には孔５２４が形成され、注射口５６２がハウジング５２０内に延在できまたハウジング５２０内でニードルハブ５６４に沿って注射口５６２が動くことができる。
【００８２】
ハウジング５２０にはバイアス部材５２５が与えられる。バイアス部材５２５はチャンネル５２２の末端に配置され、ニードルハブ５６４をハウジング５２０の先端方向へ偏向する。ニードルハブ５６４がハウジング５２０内で先端方向に偏向されるとき、針５６０の末端５６０Ａはさや（図１７には示していない。）の末端部分を超えては伸張しない。さやはハウジング５２０の最も末端５２０Ａに取付られており、針５６０とシュリンゲ５５０が収縮位置にあるときに、この二つのツールの末端部分を収容している。
【００８３】
図１７に見られるように針部分を含むハウジング５２０は公知のシュリンゲツールをこのシュリンゲ器具それ自体に変更を加えることなく、注射力に付加的な機能を与えることができるように公知のシュリンゲ器具を配置換えすることができる。ハウジング５２０はシュリンゲ器具の偏向を必要とすることなくシュリンゲ器具に取付られる。多機能外科用器具５００の作用について以下に説明する。
【００８４】
シュリンゲ５５０をハウジング５２０に取付られシュリンゲ５５０を囲むさやから伸張するために、ユーザーはフィンガーリング部５３０をボディ部５１０に沿って末端方向にスライドする。フィンガーリング部５３０を末端方向に動かすと、さやの末端からシュリンゲ５５０の末端５５０Ａが伸張するように末端５５０Ａがさや中で末端方向に動く。このようにフィンガーリング部５３０の末端方向への動きにより外科用器具５００のさやからシュリンゲ５５０が伸張する。ニードルハブ５６４にはシュリンゲ５５０がハウジング５２０内をニードルハブ５６４によって妨げられることなく動くために孔５６６が形成されている。以下に説明するようにシュリンゲ５５０の末端方向への動きにより針５６０がさやから伸張する。そのためフィンガーリング部５３０のボディ部５１０に沿った末端方向の動きにより、シュリンゲ５５０と針５６０が外科用器具５００のさやから伸張する。
【００８５】
シュリンゲ５５０がボディ部５１０内を末端方向に動くとき、ボディ部５１０内でシュリンゲ５５０に精密に取付られた連結手５５２もまたボディ部５１０内で末端方向に動く。シュリンゲ５５０がボディ部５１０内を末端方向に動き続けると連結手５５２はボディ部５１０の末端５１０Ａに含まれる孔を通って外に出る。連結手５５２がハウジング５２０の先端に入ると連結手５５２はニードルハブ５６４の先端構造５６８と連動する。連結手５５２はニードルハブ５６４に形成されたチャンネル５６６よりも大きいサイズであるため、チャンネル５６６をハブ５６４によってただ通過するだけでなくニードルハブ５６４の先端の構造５６８と連動する。連結手５５２がシュリンゲ５５０に沿って末端方向への動きを続けると、連結手５５２とニードルハブ５６４の連動によってハウジング５２０内でニードルハブ５６４が末端方向に動く。ニードルハブ５６４がハウジング５２０内でバイアス部材５２５によって与えられるバイアス力に逆らって動くように十分な力がシュリンゲ５５０とまた連結手５５２に加えられなければならない。ニードルハブ５６４がハウジング５２０内を末端方向に動くとき、ニードルハブ５６４に取付られた針５６０もまたハウジング５２０に対して末端方向に動く。この針５６０の末端方向への動きによって針５６０の末端５６０Ａが針を囲うさやの末端から伸張する。このようにこの方法によって、シュリンゲ５５０の末端方向への動きによって針５６０が末端方向に動き、シュリンゲ５５０と針５６０が外科用器具５００から伸張する。
【００８６】
シュリンゲ５５０と針５６０を外科用器具５００のさやの中に収縮して戻すため、ユーザーはフィンガーリング部５３０をボディ部５１０に沿って先端方向に動かす。フィンガーリング部５３０をボディ部５１０に沿って先端方向に動かすと、シュリンゲ５５０もボディ部５１０に対して先端方向に動く。シュリンゲ５５０を先端方向に続けて動かすと、シュリンゲ５５０の末端５５０Ａが外科用器具５００のさや内に収縮する。シュリンゲ５５０が外科用器具５００内で先端方向に動くと、ニードルハブ５６４には連結手５５２による前方向への圧力が加えられなくなる。ニードルハブ５６４から前方向の圧力が除去されるとバイアス部材５２５はニードルハブ５６４を押圧しハウジング５２０内のチャンネル５２２中で先端方向に動かす。バイアス部材の偏向力によってニードルハブ５６４がチャンネル５２２内で先端方向に動くと、針５６０の末端５６０Ａを外科用器具５００のさや内に収縮する。
【００８７】
［第６実施例］
図１８〜２４は本発明のツール作動組立体の第６実施例を示す。図１８に見られるように、外科用器具６００は注射針として示される第一ツール６５０（破線で示される。）と、シュリンゲとして示される第二ツール６６０（これもまた破線で示される。）とを含む。また前述の実施例でも述べたように、第一及び第二ツールはどのような種々のツールであってもよく、図１８〜２４に実施例として示される本発明は、外科用ツールが針とシュリンゲである実施例には限定されない。図１８から見られるように外科用器具６００はボディ部分６１０と、ボディ部分６１０にスライド可能に搭載されボディ部分６１０上で先端方向及び末端方向の両方に移動するフィンガーリング部６３０と、ツール作動部材６２０と、及び注射調整口６７０とを含む。第二ツール６６０はフィンガーリング部６３２に取付られ、そのためこの動きはフィンガーリング部６３０によって制御される。フィンガーリング部６３０がボディ部６１０の末端６１０方向へ動くと、第二ツール６６０の末端６６０Ａ、ここでこの末端はシュリンゲループ（図示していない）を含むが、ボディ部６１０の末端６１０Ａから伸張する。同様にフィンガーリング部６３０がボディ部６１０の先端６１０Ｂへ動くとボディ部６１０の末端６１０Ａ中に第二ツール６６０の末端６６０Ａが収縮する。
【００８８】
以下に説明するように、針６５０の作動はフィンガーリング部６３０とツール作動部材６２０との相互作用によって制御される。ツール作動部材６２０はボディ部６１０の先端６１０Ｂに回転可能にボディ部６１０に取付られている。ボディ部６１０の先端６１０Ｂはボディ部６１０に精密に取付られたピボットピン６１５を含む。ツール作動部材６２０はピボットピン６１５に回転可能に搭載されている。針６５０が外科用器具６００のボディ部６１０内に配置され針６５０の先端部分６５０Ｂはツール作動部材６２０に精密に取付られている。ツール作動部材６２０は針取付部分６２２を含む。針の先端部分６５０Ｂはツール作動部材６２０の針取付部分６２２に取付られている。
【００８９】
さらにツール作動部材６２０について説明すると、図１９にはツール作動部材が示されている。ここで見られるように、ツール作動部材６２０は針取付部分６２２と連動部分６２６とを含む。針取付部分６２２は第一アーム部材６２３と第二アーム部材６２４とを含む。第一アーム部材６２３と第二アーム部材６２４とによって孔６２５が規定される。第一アーム部材６２３には開き口６２３Ａが含まれ第二アーム部材６２４には開き口６２４Ａが含まれる。取付ピン６２９（図２１には示されているが図１９には示されていない。）が針６５０を作動部材６２０に取付るのに用いられる。針の先端部分６５０Ｂは孔６２５に受容される。針の先端部分６５０Ｂは取付ピン６２９をその中に受容する開き口を含む。針の先端部分６５０Ｂによって規定される開き口は針取付部分６２２中で開き口６２３Ａと６２４Ａと並んでいる。取付ピン６２９は開き口６２３Ａを通って配置され、この開き口は針の先端６５０Ｂと開き口６２４Ａとによって規定される。そのため針６５０は針取付部分６２２に取付られる。
【００９０】
ツール作動部材６２０の連動部分６２６は開き口６２６Ａを規定する。開き口６２６Ａはボディ部分６１０内でボディ部分６１０に取付られているピボットピン６１５を受容する。そのためツール作動部材６２０は開き口６２６Ａ内に受容されたピボットピン６１５を介してボディ部６１０に回転可能に搭載されることができる。図１９に見られるように針取付部分６２２の長軸Ｘ１は連動部分６２６の長軸Ｘ２からずれている。付け加えると、針取付部分６２２の長さＬ１は連動部分６２６の長さＬ２よりも長い。針取付部分６２２と連動部分６２６の軸がずれていること及びその長さが異なる理由については以下に示したツール作動部材６２０の作用により明確になる。
【００９１】
外科用器具６００のボディ部６１０の先端６１０Ｂが図２０に示されている。ここで見られるようにボディ部６１０の先端６１０Ｂはピボットピン６１５を含む。以上前述したようにピボットピン６１５はツール作動部材６２０の開き口６２６Ａ内に受容され、ボディ６１０上に作動部材６２０を回転可能に搭載する。ボディ部６１０の先端６１０Ｂはまた、親指リング６１７を含む。
【００９２】
ツール作動部材６２０を説明すると、図１８はツール作動部材６２０が針６５０の末端６５０Ａが外科用器具６００内に収縮している第一位置にある時を示す。このツール作動部材６２０が第一位置にあるときの詳細な図が図２１に示されている。図２１からわかるように、針取付部分６２２がボディ部６１０に対して先端方向に位置する。針６５０が針取付部分６２２上で作動部材６２０に取付られているため、針６５０は外科用器具６００のボディ部６１０に対して先端方向に動く。図２１からさらに見られるように、フィンガーリング部６３０はツール作動部材６２０の連動部分６２６の隣に位置するが、連動部分６２６にどのような力も加えていない。
【００９３】
図２２は針６５０の末端６５０Ａがボディ部６１０の末端６１０から伸張している第二位置に作動部材６２０が回転された後の図を示している。針６５０が外科用器具６００から伸張する第二位置にある時の作動部材６２０の配置の詳細図が図２３に見られる。図２３に見られるようにフィンガーリング部６３０はフィンガーリング部６３０の構造が作動部材６２０の連動部分６２６と連動するようにボディ部６１０に沿って先端方向に動かされる。フィンガーリング部６３０がボディ部６１０に沿って先端方向に動かし続けられるとき、作動部材６２０の連動部分６２６に加えられた力によって作動部材６２０がピボットピン６１５の回りを反時計方向に回転する。この作動部材６２０のピボットピン６１５の回りを回転する動きによって、針取付部分６２２がボディ部６１０に対して末端方向に移動する。針取付部分６２２が末端方向に移動すると、ボディ部６１０内の針６５０が末端方向に動く。作動部材６２０はピボットピン６１５の回りの針６５０の末端６５０Ａがボディ部６１０の末端部分６１０Ａから伸張するように、取付部分６２２を末端方向に動かすくらい十分に回転する。そのため針６５０の末端６５０Ａは外科用器具６００から伸張し、患者の体内に液体を注入する。
【００９４】
前述したように取付部分６２２の長軸は、連動部分６２６の長軸からずれている。さらに針取付部分６２２の長さは連動部分６２６の長さよりも長い。これらの作動部材６２０のふたつの部分の違いは、針６５０をボディ部６１０内で作動部材６２０を回転することによって末端方向に動かす際に機械的な利点を与える。言い換えると、作動部材６２０がスライドフィンガーリング部６３０の先端方向への動きとの相互作用によって反時計方向に回転することによって起こる作動部材６２０の連動部分６２６の先端方向への動きによって、ツール作動部材６２０の針取付部分６２２の末端方向への長い距離への動きが長い距離となる。そのためフィンガーリング部６３０が先端方向に相対的にわずかに動いたときでも針６５０が末端方向に非常に大きく動くことになる。
【００９５】
針が患者に液体を注入するのに用いられると外科用器具６００は患者から取り除かれ針６５０は器具のユーザーによる作動部材６２０を手動で回転することによって外科用器具６００内に収縮する。針６５０を外科用器具６００内に収縮させることは、針を伸張させる操作に比べたら重要ではない。なぜならば針を伸張させる工程は器具が患者の体内にあるときに起こり患者の体内に器具があるときに効率よく器具を動かすことが重要だからである。逆に針が患者に液体を注入するために用いられた後は、外科用器具は患者から除去されることができ、針は処理が行われた後に外科医によって器具内に手動で収縮される。
【００９６】
図２４は図１８〜２４に示した外科用器具の実施に用いられる注射調整口６７０を示す。注射調整口６７０は注射調整口６７０を外科用器具６００のボディ部６１０に取付るために用いられる取付部分６７２を含む。注射調整口６７０はその取付部分６７２に内部ネジを含んでいてもよく、この内部ネジはボディ部６１０の末端に含まれる外部オスネジ部分と協動して注射調整口６７０をボディ部６１０に取付る。注射調整口６７０の末端６７４は注射針６５０の末端６５０Ａが注射調整口６７０から伸張できるように開き口を含む。注射調整口６７０は調整部分６７２から末端６７４に伸張する孔６７６を規定する。この孔６７６には注射針６５０の末端６５０Ａに含まれる注射口６５５Ａが受容される。
【００９７】
［第７実施例］
図２５〜４１は本発明のツール作動組立体の７番目の実施例を示す。図２５及び２６に見られるように外科用器具７００はボディ部分７１０と、スライドフィンガーリング部７３０と、ツール選択ロックスイッチ７６０と、及び第一及び第二ハブ器具それぞれ７４０及び７５０と、を含む。第一外科用ツール（図２５及び２９には示していない）は第一ハブ器具７４０と協動し、第二外科用ツール（図２５及び２６には図示していない）は第二ハブ器具７５０と協動する。以下に説明するように、外科用器具７００を使用する外科医はツール選択ロックスイッチ７６０を第一ハブ器具７４０または第二ハブ器具７５０とのいずれと連動させるかを選択することにより、第一外科用ツールと第二外科用ツールのどちらを使用するかを選択する。外科用器具７００の図２５〜４１の実施例は特定のツールには限定されず、器具に組み込まれてもよい。しかしながら図示する目的のために第一ハブ器具７４０は注射針と連動し、第二器具７５０はシュリンゲ装置と連動する。
【００９８】
外科用装置７００についてさらに説明すると、図２５及び２６に見られるように、外科用器具７００はボディ部分７１０を含む。ボディ部分７１０は中心ハブ７１３と外側フレーム部材７１２と外側フレーム部材７１４とを含む。中心ハブ７１３と外側フレーム部材７１２は第一チャンネル７１２Ａを規定し、中心ハブ７１３と外側フレーム部材７１４は第二チャンネル７１４Ａを規定する。カテーテルまたは同様の構造を、その中を外科用器具７００と連動する外科用ツールが通るボディ部分７１０への取付るさや取付部分７１６は、ボディ部分７１０から伸張する。
【００９９】
スライドフィンガーリング部７３０はボディ部７１０上にスライド可能に搭載される。本明細書中で後述するように、スライドフィンガーリング部７３０はツール選択ロックスイッチ７６０と第一及び第二ハブ器具それぞれ７４０及び７５０と連動する。第一ハブ器具７４０はボディ部７１０に対してスライドするように第一チャンネル７１２内に搭載され、第二ハブ器具７５０は同様にボディ部７１０に対してスライドするように第二チャンネル７１４Ａ内に搭載される。ツール選択ロックスイッチ７６０はトップスイッチ部材７７０とボトムスイッチ部材７８０と（図２５及び２６には示していない。）からなっている。ツール選択ロックスイッチ７６０は第一ハブ器具７４０と第二ハブ器具７５０と相互作用し、ハブ器具を使用するためにトップスイッチ部材と、そして結果的にそのハブと連動する外科用ツールとをハブ器具の一つと連動する。そしてボトムスイッチ部材７８０と連動するそのハブ器具と、そのハブ器具と連動する外科用ツールが使用されないようロックする。ツール選択ロックスイッチ７６０の作用及びその第一及び第二ハブ器具７４０及び７５０との相互作用について本明細書でさらに説明する。図２５及び２６はツール選択ロックスイッチ７６０が、第一ハブ器具７４０と連動する外科用ツールを使用するためにトップスイッチ部材７７０によって連動される第一位置にあり、第二ハブ器具７５０は第二ハブ器具７５０が外科用器具７００のユーザによって使用されないようロックするためにボトムスイッチ部材７８０と連動している図を示している。
【０１００】
図２７及び２８はツール選択ロックスイッチ７６０のトップスイッチ部材７７０を示し図２９及び３０はツール選択ロックスイッチ７６０のボトムスイッチ部材７８０を示す。最初にトップスイッチ部材７７０について説明すると、図２７はトップスイッチ部材７７０の側面図であり、図２８はトップスイッチ部材７７０の底面図である。ここで見られるように、トップスイッチ部材７７０は平らな円形平面部材７７２からなる。円形平面部材７７２の上部には、トップスイッチ部材７７０がスライドフィンガーリング部７３０内に搭載されたときスライドフィンガーリング部７３０上に伸張するフィンガーグリップ７７４が取付られている。平面部材７７２の底面部分にはハブ器具作動部材７７５及びボトムスイッチ部材連動タブ７７６が取付られている。ハブ器具作動部材７７５及びボトムスイッチ部材連動タブ７７６は平面部材７７２の底面部に配置され、これらはスライドフィンガーリング部７３０内とボディ部７１０内に伸張し、第一及び第二ハブ器具７４０及び７５０及びボトムスイッチ部材７８０とそれぞれ連動する。ハブ器具作動部材７７５は円柱円形部材であり平面部材７７２から伸張する。ボトムスイッチ部材連動タブ７７６もまた円柱部材であり、平面部材７７２から下に伸張するが、ボトムスイッチ部材連動タブ７７６はＶ型の連動部分７７７をも含み、これは図２８に示されている。この連動部分７７７はボトムスイッチ部材７８０と連動するためのものである。以下に説明するように、ハブ器具作動部材７７５はハブ器具７４０及び７５０と連動し、ボトムスイッチ部材連動タブ７７６はボトムスイッチ部材７８０と連動する。
【０１０１】
図２９及び３０はボトムスイッチ部材７８０を示す。図２９はボトムスイッチ部材７８０の斜視図であり、図３０はボトムスイッチ部材７８０の上面図である。ここで見られるようにボトムスイッチ部材７８０は円形ベース７８２と、ハブ器具ロック部材７８４と、トップスイッチ部材連動タブ７８６とからなる。トップスイッチ部材連動タブ７８６はＶ型の溝７８６Ｂを規定し、この溝はＶ型のトップスイッチ部材７７０の連動部分７７７をその中に受容するように形成されている。ボトムスイッチ部材７８０はボディ部７１０内で回転するようにボディ部７１０内に配置される。以下に述べるように、ハブ器具ロック部材７８４の目的はハブ器具７４０及び７５０を連動したハブ器具との作用をロックアウトすることである。トップスイッチ部材連動タブ７８６は、トップスイッチ部材７７０と連動するように設計される。この連動により、第一又は第二ハブ器具７４０又は７５０の一方がハブ器具作動部材７７５と連動するためにトップスイッチ部材７７０が回転され、連動したハブ器具が用いられるよう選択されるとき、このトップスイッチ部材７７０がハブ器具と連動して用いられるように回転する動きがボトムスイッチ部材７８０をも回転し、ボトムスイッチ部材７８０のハブ器具ロック部材７８４がもう一方のハブ器具と連動してそのハブ器具が作動しないようロックされる。
【０１０２】
図３１はツール選択ロックスイッチ７６０のトップスイッチ部材７７０と、ボトムスイッチ部材７８０とを、これらが外科用器具７００内のボディ部分７１０とスライドフィンガーリング部７３０（図示していない）内で互いに対して配置されている図を示している。ここでわかるように、トップスイッチ部材７７０のボトムスイッチ部材連動タブ７７６はボトムスイッチ部材７８０のトップスイッチ部材連動タブ７８６と前述したとおりのトップスイッチ部材７７０とボトムスイッチ部材７８０のＶ型の連動部分を用いて連動する。そのためこれからわかるように、ボトムスイッチ部材連動タブ７７６とトップスイッチ部材連動タブ７８６との相互作用によりトップスイッチ部材７７０が回転するとボトムスイッチ部材７８０も回転する。
【０１０３】
図３２〜３４はスライドフィンガーリング部７３０を示す。図３２はスライドフィンガーリング部７３０の上面図であり図３３はフィンガーリング部７３０の後部分の図であり、図３４はスライドフィンガーリング部７３０の底面図である。これからわかるように、スライドフィンガーリング部７３０はフィンガーリング７３１Ａ及び７３１Ｂとボディ部分７３２とからなる。ボディ部分７３２は中空構造であり、トップボディ部分７３２Ａとボトムボディ部分７３２Ｂとから規定される。このように外科用器具７００のボディ部分７１０は図３３に示されたように、フィンガーリング部７３０のトップボディ部分７３２Ａとボトムボディ部分７３２Ｂによって規定される外科用器具ボディ開き口７３７に受容される。このようにフィンガーリング部７３０は外科用器具７００のボディ部分７１０に沿ってスライド可能に移動できる。
【０１０４】
フィンガーリング部７３０のトップボディ部分７３２Ａはトップスイッチ部材受容開き口７３３と、ハブ器具作動部材開き口７３４と、ハブ器具ロック部材開き口７３５と、及びハブ器具伸張開き口７３６とを規定する。トップスイッチ部材７７０の平面部材７７２はフィンガーリング部７３０のトップスイッチ部材受容開き口７３３内に受容される。このようにトップスイッチ部材７７０はスライドフィンガーリング部７３０内で回転して動くように搭載される。トップスイッチ部材７７０がスライドフィンガーリング部内を回転して動くようにスライドフィンガーリング部７３０内に配置されるとき、トップスイッチ部材７７０のボトムスイッチ部材連動タブ７７６はスライドフィンガーリング部７３０によって規定されるハブ器具ロック部材開き口７３５内に延在し、トップスイッチ部材７７０のハブ器具作動部材７７５はスライドフィンガーリング部７３０によって規定されるハブ器具作動部材開き口７３４内に延在する。このように前述したように、トップスイッチ部材７７０はフィンガーリング部７３０内で回転して動くように搭載され、トップスイッチ部材７７０のスライドフィンガーリング部７３０内での回転する動きは、ハブ器具作動部材開き口７３４内のハブ器具作動部材７７５の動きによって限定される。
【０１０５】
そのため図３１に戻ると、トップスイッチ部材７７０のボトムスイッチ部材連動タブ７７６と、ボトムスイッチ部材７８０のトップスイッチ部材連動タブ７８６との間の結合はスライドフィンガーリング部７３０内のハブ器具ロック部材開き口７３５に延在する。またトップスイッチ部材７７０のハブ器具作動部材７７５はスライドフィンガーリング部７３０中のハブ器具作動部材開き口７３４内に受容される。
【０１０６】
スライドフィンガーリング部７３０中のハブ器具伸張開き口７３６はスライドフィンガーリング部７３０中のトップボディ部分７３２Ａを完全に通り延在し、ハブ器具７４０とハブ器具７５０からのハブ器具によって運ばれる外科用ツールと連動するどのような伸張をも受容する。たとえば図２５及び２６に見られるように、第一ハブ器具７４０はハブ器具と連動する注射針に液体をハブ器具を介して供給するために用いられる液体口７４２を含む。同様に第二ハブ器具７５０は第二ハブ器具７５０によって運ばれるシュリンゲ器具と連動する電気焼灼挿入部７５２を含む。そのためスライドフィンガーリング部７３０はハブ器具伸張開き口７３６とともに提供され、ハブ器具からのどのような伸張であってもスライドフィンガーリング部７３０に受容される。
【０１０７】
図３５〜３８は第一ハブ器具７４０を示す。第二ハブ器具はハブからの伸張がハブ器具と連動する特定の外科用ツールを受容するようにハブからの伸張が異なって形成されているという点を除いては第一ハブ器具７４０と同様に形成されているため、第一ハブ器具７４０についてのみ詳細に説明する。第一ハブ器具７４０はトップ部分７４４とボトム部分７４６とからなる。第一ハブ器具７４０が前述したように注射針とともに用いられる場合に用いられる液体口７４２がトップ部分７４４に取付られている。トップ部分７４４はハブ器具作動孔７４４Ａを規定する。ハブ器具作動孔７４４Ａはその中にトップスイッチ部材７７０のハブ器具作動部材７７５を受容するように設計される。ハブ器具作動部材７７５が回転されて第一ハブ器具７４０のハブ器具作動孔７７４Ａ内に受容されるとき、第一ハブ器具７４０はトップスイッチ部材７７０と連動し、そのためスライドフィンガーリング部７３０が外科用器具７００のボディ部分７１０に沿って末端方向に移動するとき、第一ハブ器具７４０もボディ部７１０に沿って末端方向に移動する。そうして第一ハブ器具７４０と連動する外科用ツールは外科用器具７００のボディ部７１０に沿って末端方向に動かされ、外科用ツールの末端が外科用器具７００のさや取付部分７１６に取付られたさやから伸張し、そのためこの外科用器具７００を用いている外科医によって外科用ツールが用いられる。
【０１０８】
ハブ器具７４０についてさらに説明すると、ハブ器具７４０はボトム部分７４６を含む。ボトム部分７４６はハブ器具ロック孔７４６Ａを規定する。ボトムスイッチ部材７８０のハブ器具ロック部材７８４は、ハブ器具７４０のハブ器具ロック孔７４６Ａに受容される。そのためツールスイッチ部材７７０のハブ器具作動部材７７５が第一ハブ器具７４０のハブ器具作動孔７４４Ａと連動するとき、ハブ器具ロック部材７８４は外科用器具７００の他のハブ器具のハブ器具ロック孔と連動する。そのためトップスイッチ部材７７０の回転を介してハブ器具の中の一つはトップスイッチ部材７７０に使用のために連動し、もう一つのハブ器具はボトムスイッチ部材７８０によって作用しないようロックされる。前述したように、トップスイッチ部材７７０とボトムスイッチ部材７８０との間のＶ型の溝の配置により、トップスイッチ部材７７０が外科用器具のユーザーにより回転されるとボトムスイッチ部材７８０も回転する。
【０１０９】
また第一ハブ器具７４０にはボディ連動部分７４８が関連する。ボディ連動部分７４８はボディ連動部分７４８から外側に延在する保持レール７４８Ａを含む。この保持レール７４８Ａは第一ハブ器具７４０を外科用器具７００のボディ部７１０内に規定された第一チャンネル７１２Ａ内に第一ハブ器具をガイドして保持するように働く。
【０１１０】
図３９及び４０はツール選択ロックスイッチ７６０が第一ハブ器具７４０と第二ハブ器具７５０と組み合わされて用いられたときの図を示す。図示する目的でツール選択ロックスイッチ７６０と第一ハブ器具７４０と第二ハブ器具７５０はスライドフィンガーリング部７３０が無いように示されている。トップスイッチ部材７７０はハブ器具作動部材７７５（図３９には示されていない。）が第一ハブ器具７４０のハブ器具作動孔７４４Ａ内に受容されるように回転される。図３９及び４２では見られないが、前述した記載からトップスイッチ部材７７０が第一ハブ器具７４０と連動するように回転されると、ボトムスイッチ部材７８０も回転され、第二ハブ器具の作用をロックアウトするために第二ハブ器具７５０のロック孔に連動する。
【０１１１】
図４１は外科用器具７００を図２６の４１−４１のラインで切断した断面図である。ここで見られるように第一ハブ器具７４０は第一チャンネル７１２Ａ内に配置され、第二ハブ器具７５０は第二チャンネル７１４Ａ内に配置され、トップスイッチ部材７７０はスライドフィンガーリング部７３０内に配置される。
【０１１２】
操作時には、第一ハブ器具７４０と連動する第一外科用ツールを用いたいと望む外科医はトップスイッチ部材７７０をトップスイッチ部材７７０が第一ハブ器具７４０と連動するように回転する。トップスイッチ部材７７０が回転するとボトムスイッチ部材７８０もまた回転しボトムスイッチ部材７８０は第二ハブ器具７５０と連動する第二外科用ツールが操作されないようにボトムスイッチ部材７８０が第二ハブ器具７５０と連動する。トップスイッチ部材７７０が図２５に示した第一位置、つまりトップスイッチ部材７７０が第一ハブ器具７４０と連動する第一位置、まで回転されると、スライドフィンガーリング部７３０が外科用器具７００のボディ部７１０に沿って末端方向に動かされ、そのため第一ハブ器具７４０がボディ部７１０に沿って末端方向に動かされる。そのため第一ハブ器具７４０と連動する外科用ツールは外科用器具７００から伸張できる。スライドフィンガーリング部７３０と、トップスイッチ部材７７０と、第一ハブ器具７４０とが全て構造的に合致しているため、スライドフィンガーリング部７３０がスライドして動くと、第一ハブ器具７４０がスライドフィンガーリング部７３０に沿って動く。ボトムスイッチ部材７８０が外科用器具７００のボディ部７１０に回転可能に搭載されているため、ボトムスイッチ部材７８０と第二ハブ器具７５０との連動は第二ハブ器具７５０の動きを阻止し、そのため第二ハブ器具７５０と連動している外科用ツールの作用を止める。
【０１１３】
外科医が第二ハブ器具７５０と連動している第二外科用ツールを用いたいと望む場合は、外科医はトップスイッチ部材７７０が第二ハブ器具７５０と連動するようにトップスイッチ部材７７０を回転する。トップスイッチ部材７７０を第二ハブ器具７５０と連動するように回転すると、ボトムスイッチ部材７８０はここで第一ハブ器具７４０と連動する。そのためスライドフィンガーリング部７３０の動きにより、第二ハブ器具７５０がスライドフィンガーリング部７３０に沿って動く。さらに第一ハブ器具７４０と、ここでは第一ハブ器具７４０と連動しているボトムスイッチ部材７８０は第一ハブ器具７４０が操作されないようにロックアウトする。
【０１１４】
このように上述したように、ツール選択ロックスイッチ７６０は特定のハブ器具をそのハブ器具と連動したツールの操作を行うために連動し、第二ハブ器具と連動している第二外科ツールが操作されないようにロックする。この方法で外科用器具７００のユーザーは使用する特定の器具を選択し器具に含まれる使用しないツールを使用しないように下げる。
【０１１５】
［第８実施例］
図４２〜５０は本発明によるツール作動組立体の第８実施例である。図４２及び４５からわかるように、外科用器具８００は、ボディ部分８１０と、スライド可能なフィンガーリング部８３０と、第一ハブ器具８４０と、第二ハブ器具８５０と、及び第一及び第二作動ボタンそれぞれ８６０及び８６２とを含む。第一ハブ器具８４０は第一外科ツール（図示していない）と連動し、第二ハブ器具８５０は第二外科用ツール（図示していない）と連動する。第一及び第二ツールはどのような種々のツールであってもよく、本発明は外科用器具８００に用いられ得る外科用ツールの特定の実施例には限定されない。この明細書中で後述するように、第一外科用ツールはハブ器具８４０を外科用器具８００に沿ってスライドすることにより外科用ツール８００から伸張し、またはその中に収縮する。そして第二外科用ツールも外科用器具８００中の第二ハブ器具８５０をスライドすることにより外科用器具８００から伸張しまたは収縮する。後に詳述するように第一作動ボタン８６０及び第二作動ボタン８６２はフィンガーリング部８３０をスライドさせることによって、どちらのハブ器具が連動するかを選択するために用いられ、選択されたハブ器具と連動する外科用ツールは外科用器具８００から伸張しまたはその中に収縮することができる。
【０１１６】
外科用器具８００についてさらに説明すると、ボディ部分８１０は外側フレーム部材８１２と及び外側フレーム部材８１４とを含む。中心ハブ８１３が外側フレーム部材８１２と外側フレーム部材８１４との間に配置されている。このように中心ハブ８１３と外側フレーム部材８１２は第一チャンネルを規定し、中心ハブ８１３と外側フレーム部材８１４は第二チャンネル８１６を規定する。外側フレーム部材８１２にはボディ部分８１０の全長にわたって延在する孔８１２Ａが配置されている。同様に外側フレーム部材８１４は孔８１４Ａを含む。本明細書中で後にまた説明するように、第一作動ボタン８６０は孔８１２Ａを通って伸張し、第二作動ボタン８６２は孔８１４Ａを通って伸張する。
【０１１７】
ボディ部８１０の末端８１０Ａにはさや取付部分８１６がある。さや取付部分８１６はさやが外科用器具８００に接続され患者の体内に液体を注入するために用いられるように供給される。図４２には図示していないがボディ部８１０の末端８１０Ａには開き口が延在し、第一外科用ツール及び第二外科用ツールが外科用器具８００から伸張できるようになっている。
【０１１８】
スライドフィンガーリング部８３０がボディ部８１０に対してスライドして動くようにボディ部８１０上に配置される。スライドフィンガーリング部８３０は第一フィンガーリング８３１Ａと第二フィンガーリング８３１Ｂを含む。フィンガーリング部８３０のボディ部８３２は中空で円形の部材であり外科用器具８００のボディ部８１０をその中に受容する。フィンガーリング部８３０のボディ部８３２の両端には作動ボタンハウジング８３４及び８３５が配置される。図からわかるように、第一作動ボタンハウジング８３４は第一作動ボタン８６０をその中に受容し、第二作動ボタンハウジング８３５は第二作動ボタン８６２をその中に受容する。図４２及び４７からわかるように第一作動ボタンハウジング８３４は第一作動ボタンガイドピン８３４Ａをその中に含み、第二作動ボタンハウジング８３５は第二作動ボタンガイドピン８３５Ａをその中に含む。第一作動ボタンガイドピン８３４Ａは第一作動ボタン８６０のガイド孔８６０Ａ中に配置され、第二作動ボタンガイドピン８３５Ａは第二作動ボタン８６２のガイド孔８６２Ａ内に配置される。各作動ボタンハウジング中の作動ボタンガイドピンはハウジングに精密に取付られている。このように各作動ボタンのガイドスロットと連動して作動ボタンガイドピンは作動ボタンハウジング８３４及び８３５にそれぞれある作動ボタン８６０と８６２の動きをガイドし、または制限するように働く。
【０１１９】
図４３は第一及び第二作動ボタン８６０及び８６２（図示していない。）とスライドフィンガーリング部８３０と第一及び第二ハブ器具８４０及び８５０とを集合した配置を示している。図示する目的のために図４３は前述した構成要素の相互作用を示し、外科用器具８００のボディ部分８１０については示していない。第一ハブ器具８４０と、第二ハブ器具８５０と、フィンガーリング部８３０と、第一作動ボタン８６０と、及び第二作動ボタン８６２との相互作用をさらに説明するために第一ハブ器具８４０と第二ハブ器具８５０について詳細に説明する。
【０１２０】
図４３に見られるように、第一ハブ器具８４０は、第一ハブ器具伸張部材８４１と、第一ツール取付部材８４２と、及び第一ハブ連動部材８４４とを含む。第一ツール取付部材８４２は中空体で外科用器具８００に組み込まれる第一外科用ツールを取付る機構として働く。外科用ツールは第一ツール取付部材８４２の末端８４２Ａに取付られる。第一ハブ器具伸張部材８４１は第一ツール取付部材８４２と一体で形成され得る。第一ハブ器具８４０は第一ハブ連動部材８４４を含む。第一ハブ連動部材８４４は連動部分８４５Ａとオープン部分８４５Ｂとを含む連動孔８４５を規定する。第一ハブ連動部材８４４はまた取付孔８４６（図４４及び４７に示している。）をその中に含む。取付孔８４６はハブ取付ピン８４７（図４７に示している。）をその中に含む。ハブ取付ピン８４７は第一ツール取付部材８４２から取付孔８４６を通って伸張する。このように第一ハブ連動部材８４４は第一ツール取付部材８４２にスライド可能に搭載され、第一ツール取付部材８４２の長軸方向に垂直な方向、つまりボディ部８１０内の第一ハブ器具８４０の動く方向を横切る方向に第一ツール取付部材８４２に対して動く。スライドフィンガーリング部８３０のボディ部８３２から下方向には第一フィンガーリング連動ピン８３６が延在する。第一フィンガーリング連動ピン８３６はスライドフィンガーリング部８３０に精密に取付られ第一ハブ連動部材８４４の連動孔８４５に受容される。
【０１２１】
同様に第二ハブ器具８３０もまたその末端８５２Ａに第二外科用ツールを取付る第二ツール取付部材８５２を含む。第二ツール取付部材８５２とともに第二ハブ器具伸張部材８５１が形成されている。また連動孔８５５と取付孔８５６を規定する第二ハブ連動部材８５４が第二ツール取付部材８５２上にスライド可能に搭載される。連動孔８５５は連動部分８５５Ａとオープン部分８５５Ｂとを含む。さらにハブ取付ピン８５７が第二ツール取付部材８５２上に配置され、取付孔８５６に受容される。第二フィンガーリング連動ピン８３７がスライドフィンガーリング部８３０のボディ部分８３２に精密に取付られ、ボディ部分８３２から下方に延在する。第二フィンガーリング連動ピン８３７は第二ハブ連動部材８５４の連動孔８５５に受容される。
【０１２２】
図４４は第一及び第二作動ボタン８６０及び８６２と、第一ハブ連動部材８４４と、及び第二ハブ連動部材８５４との配置を示す。明確に説明するために、フィンガーリング部８３０は図４４に示されていない。しかしピンと連動する部材の構造的配置が明確にわかるように、スライドフィンガーリング部８３０に精密に取付られている第一フィンガーリング連動ピン８３６と、第二フィンガーリング連動ピン８３７と、第一作動ボタンガイドピン８３４Ａと、及び第二作動ボタン８３５Ａとは示されている。図４４からわかるように外科用器具８００のボディ部分８１０は開き口８１１を含み、その中を通ってハブ連動部材８４４及び８５４がボディ部８１０に対して横切るようにボディ部８１０内を動く。これについて以下に説明する。
【０１２３】
図４６〜５０は外科用器具８００を図４５を用いて断面した様々な断面図を示す。図４２〜５０の実施例にしたがってツール作動組立体の作用を説明する際に特に図４３へも言及する。図４３からわかるように、第二作動ボタン８６２（図示していない。）は下へ押され、そのため第二作動ボタンは第二作動ボタンハウジング８３５の中に完全に延在する。第二作動ボタン８６２のハウジング８３５内での動きは第二作動ボタン８６２のガイド孔８６２Ａ中の作動ボタンガイドピン８３５Ａとの連動により規制される。第二作動ボタン８６２が第二作動ボタンハウジング８３５中に押されると、第二作動ボタン８６２は第二ハブ連動部材８５４を外科用器具８００の中心に向かって動かす。第二ハブ連動部材８５４がこの方向に動かされると第二フィンガーリング連動ピン８３７は連動孔８５５中に位置し第二フィンガーリング連動ピン８３７は連動孔８５５のオープン部分８５５Ｂに位置する。
【０１２４】
第二作動ボタン８６２と第二ハブ連動部材８５４の動きは第一ハブ連動部材８４４と第一作動ボタン８６０とを同じ方向に押圧する。この第一ハブ連動部材８４４の動きにより第一フィンガーリング連動ピン８３６が連動孔８４５の連動部分８４５Ａ中に位置するようになる。さらにこの位置では第一ハブ連動部材８４４はボディ部８１０に含まれる開き口８１１から完全に飛び出す。そのため第一ハブ連動部材８４４はボディ部８１０によってボディ部８１０に沿って末端方向へ動かされることはない。第一ハブ連動部材８４４の動きにより、第一作動ボタン８６０が第一作動ボタンハウジング８３４から飛び出すように押圧される。
【０１２５】
そのため、スライドフィンガーリング部８３０がボディ部８１０に沿って末端方向に動かされたとき、第二作動ボタン８６２が第二作動ボタンハウジング８３５中に完全に押し込まれているこの位置で、第一ハブ連動部材８４４と連動しているフィンガーリング部８３０は、第一フィンガーリング連動リングピン８３６を介して第一ハブ器具８４０を外科用器具８００のボディ部８１０に沿って末端方向に動かす。ここで第二フィンガーリング連動ピン８３７は第二ハブ連動部材８５４の連動孔８５５のオープン部分８５５Ｂ中に受容されているため、フィンガーリング部８３０がボディ部８１０に沿って末端方向に動かされるとき第二フィンガーリング連動ピン８３７はハブ連動部材８５４からはずれて動き、そのため第二ハブ連動部材８５４と連動しない。ここで第二ハブ器具がスライドフィンガーリング部８３０に沿って動くようには選択されない。第二ハブ連動部材８５４がボディ部８１０内の開き口８１１に受容されているため第二ハブ器具８５０は外科用器具８００に沿った末端方向の動きをしないようにロックされる。
【０１２６】
第二ハブ器具８５０をスライドフィンガーリング部８３０に沿って動かすように選択するためには、上述したのと同様の手順が行われる。このように第二ハブ器具８５０、そしてつまり第二ハブ器具８５０と連動する第二外科用ツールをフィンガーリング部８３０とスライドさせるように選択するには、ユーザーは第一作動ボタン８６０をそれが第一作動ボタンハウジング８３４に完全に受容されるように押し込む。この第一作動ボタン８６０のこの方向の動きにより第一フィンガーリング連動ピン８３６は第一ハブ連動部材８４４中の連動孔８４５のオープン部分８４５Ｂに受容される。さらにこの第一作動ボタン８６０の動きにより第二フィンガーリング連動ピン８３７が連動孔８５５と第二ハブ連動部材８５４の連動孔８５５の連動部分８５５Ａに受容されるよう第二リング連動ピン８３７を押圧する。そのためスライドフィンガーリング部８３０が外科用器具８００のボディ部８１０に沿って末端方向に動かされると、第二フィンガーリング連動ピン８３７と第二ハブ連動部材８５４との相互作用により第二ハブ器具８５０もボディ部８１０に対して末端方向に動かされる。
【０１２７】
このように図４２〜５０に示した作動組立体は外科用器具８００中の外科用ツールが連動する選択性を与える。使用するように選択されなかった外科用ツールは外科用器具８００のボディ部８１０内の位置に固定され、外科用器具８００から使用されないようにする。
【０１２８】
［第９実施例］
図５１〜７５は本発明のツール作動組立体の第９実施例を示す。以下に述べるように、また以下から明らかになるように、図５１〜７５の外科用器具９００は前述した実施例に作動部に連動するふたつのハブ器具を含むという点で同様である。しかし作動部とハブ器具の配置は前述した実施例と本実施例とは異なる。
【０１２９】
図５１及び５２は外科用器具９００を示す。ここからわかるように外科用器具９００はボディ部９１０と、ガイド棒９２０と、スライドフィンガーリング部９３０と、第一ハブ器具９４０と、第二ハブ器具９５０（図５１には図示していない）と、及びハブ作動部９６０とを含む。外科用器具９００と連動するこれらの各成分について以下に詳細に説明する。
【０１３０】
実施例７及び８について前述したように外科用器具９００もまた第一外科用ツール及び第二外科用ツール（図５１〜７５には示していない。）を含む。このように第一外科用ツールは第一ハブ器具９４０と連動し、第二外科用ツールは第二ハブ器具９５０と連動する。本発明は第一外科用ツール及び第二外科用ツールとしてどのような種々の装置を用いてもよく、本発明は外科用ツールの特定の実施例には限定されない。さらに説明すると、第一及び第二外科用ツールは第一ハブ器具及び第二ハブ器具の外科用器具９００のボディ部９１０に対する動きによって外科用器具９００から伸張し、またその中に収縮することが可能である。
【０１３１】
ボディ部９１０の末端９１０Ａにはさや圧力解放部材９８０が取付られている。さやは患者の体内に注入されるためにさや圧力解放部材９８０に取付られ、第一及び第二外科用ツールは患者の体内に挿入されるためにさやの中を通って延在する。
【０１３２】
図５３〜５８は外科用器具９００のガイド棒９２０を示す。これからわかるようにガイド棒９２０は外側フレーム部材９２１と、外側フレーム部材９２２と、中心ハブ９２３とを含む。外側フレーム部材９２１と中心ハブ９２３は第一チャンネル９２０Ａを規定し、外側フレーム部材９２２と中心ハブ部材９２３は第二チャンネル９２０Ｂを規定する。本明細書中で後述して説明するように、第一ハブ器具９４０は第一チャンネル９２０Ａ中にスライド可能に配置され、第二ハブ器具９５０は第二チャンネル９２０内にスライド可能に配置される。中心ハブ９２３は平らな平面部材であるハブガイド部材９２６を含む。作動ガイド部材９２４がハブガイド部材９２６の下面でそこから直角方向に延在している。作動ガイド部材９２４は作動タブ孔９２５Ａと作動ガイド構造孔９２５Ｂとを含む開き口９２５を規定する。以下に説明するように作動タブスロット９２５Ａは作動ガイド部材９２４に開口を与え、ハブ作動部９６０と協動している作動タブがハブ器具の一つとの連動によって作動ガイド部材９２４中を回転してもう一つのハブ器具と連動する。作動ガイド構造孔９２５Ｂは作動ガイド部材９２４に空間を与え、ハブ作動部９６０と協動するガイド構造のために空間を与える。またさらに作動ガイド部材９２４はハブ作動部９６０とスライドフィンガーリング部９３０が外科用器具９００に沿って動きをガイドする。
【０１３３】
図５９〜６３は第一ハブ器具９４０と第二ハブ器具９５０を示す。第一ハブ器具９４０は第二ハブ器具９５０と同様に形成されているため詳細な説明は第二ハブ器具９５０のみについてされ、第二ハブ器具９５０は図５９〜６３に示されている。第二ハブ器具９５０はボディ部分９５２とガイド部分９５４とからなる。ボディ部分９５２は延長した長方形型に形成されている。ガイド部分９５４はボディ部分９５２の底面から延在し、ガイド孔９５４Ａと作動タブ連動孔９５４Ｂとを規定している。図６０に明確に示されたようにガイド孔９５４Ａはガイド部分９５４の両端に形成され、作動タブ連動孔９５４はガイド部分９５４を完全に横切るように延在する。ガイド孔９５４Ａはガイド部分９５４Ａの一方側にガイドバー９２０の外側フレーム部材９２２をその中に受容し、またガイド部分９５４のもう一方の側に中心ハブ９２３のハブガイド平面部材９２６を受容する。そのため第二ハブ器具９５０は外科用器具９００中でガイド棒９２０にスライド可能に配置されている。外科用器具９００のユーザーが第二ハブ器具９５０と協動するツールを使用するように選択するとき作動タブ連動孔９５４Ｂはその中にハブ器具ハブ作動部９６０を受容する。
【０１３４】
上述したように第一ハブ器具９４０は第二ハブ器具９５０と同様に形成されているため第一ハブ器具９４０については簡単にしか説明しない。第一ハブ器具９４０もまたボディ部分９４２とガイド部分９４４とからなる。ガイド部分９４４はガイド孔９４４Ａと作動タブ連動孔９４４Ｂとを規定する。ガイド孔９４４Ａはガイド部分９４４の両側に形成されており、そのため第一ハブ器具９４０のガイド部分９４４はガイド棒９２０の第一チャンネル９２０Ａに受容され第一ハブ器具９４０はガイド棒９２０上にスライド可能に配置される。外科用器具９００のユーザーが第一ハブ器具９４０と協動するツールを使用するように選択したとき、作動タブ連動孔９４４Ｂはその中にハブ作動部９６０を受容する。
【０１３５】
図６４〜６６はスライドフィンガーリング部９３０を示す。ここで見られるように、スライドフィンガーリング部９３０はボディ部分９３１と、ボディ部分９３１の両側に取付られる第一及び第二フィンガーリング９３１Ａ及び９３１Ｂとからなる。ボディ部分９３１の中には開き口９３４Ａを規定するガイド９３４が配置される。ガイド９３４の末端には作動ガイド構造受容リング９３５が取付られる。ボディ部分９３１の上部分とガイド９３４はハブ器具受容開き口９３２を規定する。この開き口９３２の目的はハブ器具９４０と９５０をフィンガーリング部９３０に受容することであり、ハブ作動部９６０がハブ器具の一つと連動することができ、そのためハブ器具がボディ部９１０に沿ってフィンガーリング部９３０の動きとともにボディ部９１０に沿ってスライドする。ガイド９３４とボディ部分９３１の下側部分は外科用器具ボディ部分受容開き口９３３を規定し、これは外科用器具９００の下側部分をその中に受容する。そのためスライドフィンガーリング部９３０は外科用器具９００のボディ部９１０に沿って動くことができる。本明細書中で後に明確となるが、作動ガイド構造受容リング９３５はその中にハブ作動部９６０の一部を受容する。そのためハブ作動部９６０はフィンガーリング部９３０と構造的に連動し、フィンガーリング部９３０の作動ガイド構造受容リング９３５中で回転することができる。
【０１３６】
図６７はハブ作動部９６０を示す。ここで見られるようにハブ作動部９６０は、フィンガーグリップ９６１と、作動タブ９６２と、及びガイド構造９６４とを含む。ガイド構造９６４は外側円形円周を持ち、第一ガイド孔９６４Ａと第二ガイド孔９６４Ｂとを規定する。また後に明確となるように第一及び第二ガイド孔は交互にガイド棒９２０の作動ガイド部材９２４を受容する。ハブ作動部９６０がハブ器具の一つと連動するように回転するとガイド孔の一つの長軸が作動ガイド部材９２４の長軸と同一直線に並ぶ。そのためハブ作動部９６０はガイド構造９６４によって規定されたガイド孔の一つに作動ガイド部材９２４を配置することによってガイド棒９２０に沿って動くことができる。ハブ作動部９６０が回転すると、ハブ作動部がハブ器具のもう一方と連動しガイド孔のもう一方が作動ガイド部材９２４と長軸方向に同一となり、ハブ作動部がまたガイド部材９２４に沿って動くことができる。そのためハブ作動部９６０が外科用器具９００のハブ器具の一つと連動するとき第一及び第二ガイド孔はハブ作動部９６０をガイド棒９２０に沿ってガイドするために用いられる。
【０１３７】
ガイド構造９６４上には作動タブ９６２が配置される。作動タブ９６２はガイド構造９６４から伸張し、ガイド構造９６４の最も上部部分の水平面上に配置される。作動タブ９６２はハブ器具９４０と９５０の一方内に受容され、外科用器具９００のユーザーが使用する特定のハブ器具を選択する。ハブ作動部９６０がフィンガーリング部９３０内に回転可能に搭載されているためハブ器具の一方または他方と連動するために作動タブ９６２は回転可能である。前述したようにガイド棒９２０の作動ガイド部材９２４は作動タブ孔９２５Ａをその内部に含む。作動タブ９６２が作動ガイド部材９２４内を通過し、ハブ器具９４０と９５０のそれぞれと連動できるのは作動タブ孔９２５Ａを通るからである。またさらに前述したように作動ガイド部材９２４は作動ガイド構造孔９２５Ｂを含む。作動ガイド構造孔９２５Ｂはその中にハブ作動部９６０のガイド構造９６４を含む。そのためハブ作動部９６０のガイド構造９６４は作動ガイド部材９２４の影響を受けることなく回転可能である。
【０１３８】
図６８はハブ作動部９６０とフィンガーリング部９３０を組み合わせた配置を示す。明確にするためスライドするハブ器具及びガイド棒９２０は示されていない。ここで見られるようにハブ作動部９６０のガイド構造９６４はフィンガーリング部９３０の作動ガイド構造受容リング９３５内に受容される。このようにハブ作動部９６０はスライドフィンガーリング部９３０と構造的に連動し、ハブ作動部９６０はスライドフィンガーリング部９３０内で回転可能である。図６８にはもしこの図中に第一ハブ器具９４０が描かれていたら第一ハブ器具９４０と連動して回転するハブ作動部９６０が示されている。このハブ作動部９６０の位置からわかるようにハブ作動部９６０の第一ガイド孔９６４Ａはスライドフィンガーリング部９３０のガイド９３４内に形成された開き口９３４Ａと一列に並ぶ。そのためガイド棒９２０の作動ガイド部材９２４は一直線に並んだ開き口９３４Ａと孔９６４Ａに受容され、スライドフィンガーリング部９３０とハブ作動部９６０が外科用器具９００のガイド棒９２０の作動ガイド部材９２４に沿って移動可能となる。このように理解されるように、もしハブ作動部９６０が作動タブ９６２が第二ハブ器具９５０と連動するように回転されたら第二ガイド棒９６４Ｂはスライドフィンガーリング部９３０内で開き口９３４Ａと同一直線上に並び、ハブ作動部９６０とスライドフィンガーリング部９３０の両方がガイド棒９２０の作動ガイド部材９２４に沿って動くことができる。
【０１３９】
図６９はハブ器具とガイド棒とハブ作動部との相互作用を示すためにハブ作動部９６０とガイド棒９２０と第一ハブ器具９４０と第二ハブ器具９５０を組み合わせた配置を示す。明確にするためにスライドフィンガーリング部９３０とボディ部９１０は図６９には示されていない。ここで見られるように第一ハブ器具９４０のガイド部分９４４内で形成された作動タブ連動孔９４４Ｂを介してハブ作動部９６０は作動タブ９６２が第一ハブ器具９４０と連動するように回転する。図６９からまたわかるように第一ハブ器具９４０のガイド部分９４４によって規定されるガイド孔９４４Ａ内にガイド棒９２０を配置することによって第一ハブ器具９４０はガイド棒９２０上にスライド可能に配置される。ハブ作動部９６０がこの位置にあるときハブ作動部９６０のガイド構造９６４中に形成された第一ガイド孔９６４Ａがガイド棒９２０の作動ガイド部材９２４と同軸上になり、ハブ作動部９６０はガイド棒９２０に沿って動くことができる。そのためハブ作動部９６０とスライドフィンガーリング部９３０（図６８に示されており、前述している。）との間に構造的な接続があるためスライドフィンガーリング部９３０が外科用器具９００のボディ部分９１０に沿って動くとき、ハブ器具９４０もまたスライドフィンガーリング部９３０に沿って動く。このとき第二ハブ器具９５０とスライドフィンガーリング部９３０とはハブ作動部９６０を介した構造的接続がないため、第二ハブ器具９５０はスライドフィンガーリング部９３０とともにボディ部９１０に沿っては動かない。
【０１４０】
図７０及び７１は外科用器具９００の組み合わせた配置の断面図を示す。図７０は外科用器具９００の図５２の７０−７０線で切断したの断面図である。そして図７１は外科用器具９００を図５２の７１−７１線で切断した断面図である。図７０及び７１のどちらともハブ作動部９６０が第一ハブ器具９４０と連動している図を示している。
【０１４１】
図７２〜７５は本実施例のさや圧力解放部材９８０を示す。ここでわかるようにさや圧力解放部材９８０は円錐形部分９８２と円形部分９８４とを含む。円形部分９８４と円錐形部分９８２の一部は図７０に見られるようにボディ部分９１０の末端９１０Ａに搭載されている。円錐部分９８２には切り込み部９８６が形成されておりこの切り込み部はボディ部９１０の末端９１０Ａの構造と協動し、圧力解放部材９８０（つまり圧力解放部材９８０の円錐部分９８２に取付られるさや）とボディ部９１０との構造的な接続時の圧力を解放する。ここで見られるようにさや圧力解放部材９８０内には開き口が延在し、ボディ部９１０の末端９１０Ａに含まれる開き口と同軸上に並ぶ。そのため外科用器具９００と協動する外科用ツールはボディ部９１０内とさやストレス解放部材９８０とその外科用器具の末端に取付られるさや内に伸張できるようになる。
【０１４２】
操作時には外科用器具９００のユーザーは作動タブ９６０を回転し、ハブ器具９４０及び９５０の一つと連動させハブ器具と連動して用いられるツールを選択する。ハブ器具をハブ作動部９６０と連動させることによってスライドフィンガーリング部９３０がボディ部９１０に沿って動かされるとき選択されたハブ器具は外科用器具９００のボディ部９１０に沿って動かされる。ハブ器具のもう一方を使用するために選ぶとき、外科用器具９００のユーザーはハブ作動部９６０を回転させてそれがそのハブ器具と連動するようにする。そのため外科用器具９００のユーザーは外科用器具９００内で使用する外科用ツールを選択的に連動させることができる。ここで連動されていないハブ器具が使用されないようにロックされているためそのハブ器具はスライドフィンガーリング部９３０の動きを通じても外科用器具９００のボディ部９１０に沿って動くことができない。
【０１４３】
［第１０実施例］
図７６〜７９は本発明によるツール作動組立体の第１０の実施例を示す。図７６及び７７はツール作動組立体１０００を示す。図７６からわかるように、ツール作動組立体１０００は、ボディ部１０１０と、第一ツール受容部材１０４０と、第二ツール受容部材１０５０と、及びツールロックアウトスイッチ１０３０とを含む。ツール作動組立体１０００はまた、ツール作動組立体１０００の末端１０１０Ａに取付られるカテーテル１０２０を含む。
【０１４４】
ボディ部１０１０は図７６では注射針１０７０として示されている第一外科用ツールと図７６ではシュリンゲ１０６０として示されている第二外科用ツールとを受容する中空構造である。注射針１０７０は作用位置で注射針１０７０のニードルチップ１０７４がカテーテル１０２０の末端１０２０Ａから伸張するとき、第一ツール受容部材１０４０内に受容されボディ部１０１０とカテーテル１０２０から伸張する。注射針１０７０は公知の方法に用いられる注射口１０７２を含む。注射針１０７０は手動で図７６に示した方向に動かされることができ、ニードルチップ１０７４がカテーテル１０２０から伸張し、またカテーテル１０２０内に収縮する。
【０１４５】
第二ツール受容部材１０５０はその先端１０５２の内部にネジが施されている。このように公知のシュリンゲであるシュリンゲ器具１０６０はツール受容部材１０５０内にネジ止めされる。このようにシュリンゲ器具１０６０の末端１０６０Ａは第二ツール受容部材１０５０に受容されるように外部にネジ山が形成されている。シュリンゲ器具１０６０のシュリンゲロッド１０６２はシュリンゲ器具１０６０から第二ツール受容部材１０５０とツール作動組立体１０００のボディ部１０１０を通って伸張する。そのためシュリンゲロッド１０６２の末端１０６２Ａに配置されたシュリンゲループ１０６４はカテーテル１０２０から伸張し、またカテーテル１０２０内に収縮することができる。
【０１４６】
シュリンゲロッド１０６２はシュリンゲ器具１０６０のスライドフィンガーリング部１０６６に取付られており、スライドフィンガーリング部１０６６を図７６に示したようにシュリンゲ器具１０６０のボディ部に沿ってスライドして動かすことによってカテーテル１０２０から伸張し、またカテーテル１０２０内に収縮することができる。また以下に説明するようにボディ部１０１０上に回転可能に搭載されボディ部１０１０内に延在するツールロックアウトスイッチ１０３０が一つの外科用ツールが外科医によって使用されているときもう一方の外科用ツールが使用されないようにロックするために用いられる。
【０１４７】
図７６はツール作動組立体１０００が注射針１０７０とシュリンゲ器具１０６０とともに用いられている図を示しているが、本発明はこれらのふたつの特定のツールを使用する実施例には限定されない。ツール作動組立体１０００は公知のどのような外科用ツールとともに用いることもでき一方の外科用ツールが外科医によって使用されているとき他方のツールが使用されないようにロックすることができる。
【０１４８】
図７８はツール作動組立体１０００の内部の作動構成要素を示す。ここで見られるようにボディ部１０１０内でロックアウトスイッチ１０３０はハブ１０３０の外側円周部分に延在する通孔１０３４を含むハブ１０３２を含む。通孔によって通孔が位置するハブの部分の半径が減少する。この通孔１０３４の目的について説明する。第一ロック部材１０３６と第二ロック部材１０３８がツールロックアウトスイッチ１０３０と協動する。第一及び第二ロック部材１０３０と１０３８の両方がボール構造として示される。これらのロック部材はボディ部１０１０内に形成されたチャンネル中に位置する。このように第一ロック部材１０３６は第一ボディチャンネル１０３７内に含まれ第二ロック部材１０３８は第二ボディチャンネル１０３９内に含まれる。第一ロック部材１０３６は注射針１０７０とハブ１０３２の間に配置され、第二ロック部材１０３８はシュリンゲロッド１０６２とハブ１０３２との間に配置される。そのため第一ロック部材１０３６は注射針１０７０とハブ１０３２と操作的に連動し、第二ロック部材１０３８はシュリンゲロッド１０６２とハブ１０３２と操作的に連動する。
【０１４９】
図７９はさらに針１０７０と、第一ロック部材１０３６と、ハブ１０３２との組み合わせた配置を詳細に示す。図７９に見られるように針１０７０はその中にジョイント１０７８を含む。ニードルジョイント１０７８によりジョイントの中心部分の半径がニードル軸に沿った針の半径より減少する。シュリンゲロッド１０６２はまた図７８のシュリンゲジョイント１０６８として示される同様のジョイントを含む。
【０１５０】
操作時にはロック部材をツール軸のジョイントで関連するツール軸と連動させることによってツールロックアウトスイッチ１０３０はツール作動組立体１０００内に延在する外科用ツールの一つが操作されないようにロックする。ツール軸のジョイントの減少した半径によってロック部材がこの部分に位置し、ツール軸がツール作動組立体１０００内をそれ以上伸張せずまたカテーテル１０２０の末端１０２０Ａから伸張しないようにする。ハブ１０３２に通孔１０３４を形成しているためロック部材の一つがそれと関連するツールと連動し、そのツールの操作をロックしているとき、もう一方のロック部材はハブ１０３２の通孔１０３４に位置し、そのためハブ１０３２によって関連するツールの軸に押圧されない。そのため第二外科用ツールは簡単にボディ部１０１０内を末端方向及び先端方向に動かされこのツールは外科医によって用いられる。
【０１５１】
図７８は注射針１０７０が第一ロック部材１０３６によって操作できないようロックされたときのロックアウトスイッチ１０３０の位置を示す。ここで見られるように第一ロック部材１０３６は第一ロック部材１０３６とハブ１０３２の外側円周１０３２Ａとの接触を介してニードルジョイント１０７８と連動するよう押圧される。また同様に見られるように、ロックアウトスイッチ１０３０がこの位置にあるとき第二ロック部材１０３８はハブ１０３２の通孔１０３４内に受容される。そのため第二ロック部材１０３８はシュリンゲロッド１０６２と連動しておらず、そのためシュリンゲロッド１０６２はボディ部１０１０内で自由に動くことができる。ここで理解されるように図７８において、もしハブ１０３２が時計方向に回転されたらこのハブ１０３２の時計方向の回転により第一ロック部材１０３６が通孔１０３４内に配置され、第二ロック部材１０３８は通孔１０３４内から外れるようになり、そのためハブ１０３４の外側円周１０３２Ａの反対側に位置する。このハブ１０３２の時計方向の回転の後、第一ロック部材１０３６は注射針１０７０と接触せず、そのため注射針１０７０はここでボディ部１０１０内を自由に動くことができ、カテーテル１０２０から伸張し、又はその中に収縮することができる。同様に理解されるようにここで第二ロック部材１０３８はシュリンゲロッド１０６２とその接続ジョイント１０６８で精密に接触するように押され、そのためこの第二ロック部材１０３８とシュリンゲジョイント１０６０との間の剛直な接触のためシュリンゲロッド１０６２はボディ部１０１０内を自由に動くことができない。このように、ハブ１０３２が時計方向に回転されると注射針１０７０は外科医によって処理中に自由に使用されるがシュリンゲ１０６０は外科医による使用がされないようにロックされる。通孔１０３４の末端領域１０３４Ａ及び１０３４Ｂはカム表面として形成されておりロック部材がハブ１０３２が一つのロックアウト位置から別のロックアウト位置に回転するときロック部材が容易に通孔１０３４から外されるようになっている。
【０１５２】
【発明の効果】
本発明に係る多機能外科用器具は、管状部と、管状部にスライド可能に搭載したフィンガーリング部と、管状部の末端上にスライド可能に搭載した軸と、軸及び管状部上に配置され、フィンガーリング部に接続した第一外科用ツールと、軸及び管状部上に配置され、管状部の先端に接続した第二外科用ツールと、管状部にスライド可能に搭載され、軸に取付られた作動部材と、を含むため、複数の外科用ツールを含む器具を使用する外科医によってより効率よく使用され得る多機能外科用器具を提供することができる。
【図面の簡単な説明】
【図１】本発明に係るツール作動組立体の第一実施例を組み入れた多機能外科用器具の側面図である。
【図２】図１の多機能外科用器具とツール作動組立体との断面図である。
【図３】針がさやから露出した状態の図１の外科用器具の側面図である。
【図４】シュリンゲループがさやから露出した状態の図１の外科用器具の側面図である。
【図５】本発明に係るツール作動組立体の第二実施例を組み入れた多機能外科用器具の側面図である。
【図６】図５の多機能外科用器具とツール作動組立体との断面図である。
【図７】針がさやから露出した状態の図５の外科用器具の側面図である。
【図８】シュリンゲループがさやから露出した状態の図５の外科用器具の側面図である。
【図９】本発明に係るツール作動組立体の第三実施例を組み入れた多機能外科用器具の上面図である。
【図１０】シュリンゲと注射針がさや内に配置された図９の多機能外科用器具の側面図である。
【図１１】針がさやから露出した状態の図９の外科用器具の上面図である。
【図１２】シュリンゲループがさやから露出した状態の図９の外科用器具の上面図である。
【図１３】本発明に係るツール作動組立体の第四実施例を組み入れた多機能外科用器具の上面図である。
【図１４】シュリンゲと注射針がさや内に配置された図１３の多機能外科用器具の側面図である。
【図１５】針がさやから露出した状態の図１３の外科用器具の上面図である。
【図１６】シュリンゲループがさやから露出した状態の図１３の外科用器具の上面図である。
【図１７】本発明に係るツール作動組立体の第五実施例を組み入れた多機能外科用器具の側面図である。
【図１８】本発明に係るツール作動組立体の第六実施例を組み入れた多機能外科用器具の側面図である。
【図１９】図１８の実施例の作動ツール部材を示す図である。
【図２０】図１８の外科用器具の先端を示す図である。
【図２１】図１８の実施例の作動ツール部材が注射針の末端が作動位置にない第一位置にある図である。
【図２２】図１８の実施例の作動ツール部材が注射針の末端が外科用器具から伸張した第二位置にある図である。
【図２３】図１８の実施例の作動ツール部材が第二位置にある図である。
【図２４】図１８に示した多機能外科用器具と用いられ得る注射調整口を示す図である。
【図２５】本発明に係るツール作動組立体の第七実施例を組み入れた多機能外科用器具の斜視図である。
【図２６】図２５の多機能外科用器具の側面図である。
【図２７】図２５の実施例の上部スイッチ部材の側面図である。
【図２８】図２７の上部スイッチ部材の底面図である。
【図２９】図２５の実施例の下部スイッチ部材の斜視図である。
【図３０】図２９の実施例の下部スイッチ部材の上面図である。
【図３１】図２７〜３０の上部スイッチ部材と下部スイッチ部材が作動配置にあるときの側面図である。
【図３２】図２５の実施例のスライドフィンガーリング組立体の上面図である。
【図３３】図３２のスライドフィンガーリング組立体の背面図である。
【図３４】図３２のスライドフィンガーリング組立体の底面図である。
【図３５】図２５の実施例の第一ハブ器具の側面図である。
【図３６】図３５の第一ハブ器具の上面図である。
【図３７】図３５の第一ハブ器具の底面図である。
【図３８】図３５の第一ハブ器具の背面図である。
【図３９】図２５の実施例の第一及び第二ハブ器具とツール選択ロックスイッチが作動配置にある時の側面図である。
【図４０】図３９のツール選択ロックスイッチの側面図である。
【図４１】図２６の４１−４１線で切断した図２５の外科用器具の断面図である。
【図４２】本発明に係るツール作動組立体の第八実施例を組み入れた多機能外科用器具の斜視図である。
【図４３】図４２の実施例の第一及び第二作動ボタンと、スライドフィンガーリング組立体と、第一及び第二ハブ器具の作動配置を示した斜視図である。
【図４４】図４２の実施例の第一及び第二作動ボタンと、第一及び第二ハブ連動部材の作動配置を示した斜視図である。
【図４５】図４２の多機能外科用器具の背面図である。
【図４６】図４５の４６−４６線で切断した図４２の外科用器具の断面図である。
【図４７】図４５の４７−４７線で切断した図４２の外科用器具の断面図である。
【図４８】図４７の４８−４８線で切断した図４２の外科用器具の断面図である。
【図４９】図４５の４９−４９線で切断した図４２の外科用器具の断面図である。
【図５０】図４９の５０−５０線で切断した図４２の外科用器具の断面図である。
【図５１】本発明に係るツール作動組立体の第九実施例を組み入れた多機能外科用器具の斜視図である。
【図５２】図５１の多機能外科用器具の上面図である。
【図５３】図５１の実施例のガイド棒の斜視である。
【図５４】図５３のガイド棒の上面図である。
【図５５】図５３のガイド棒の側面図である。
【図５６】図５３のガイド棒の前面図である。
【図５７】図５３のガイド棒の底面図である。
【図５８】図５７の５８−５８線で切断した図５３のガイド棒の断面図である。
【図５９】図５１の実施例の第一及び第二ハブ器具の斜視図である。
【図６０】図５９の実施例の第一及び第二ハブ器具の前面図である。
【図６１】図５９の実施例の第一及び第二ハブ器具の側面図である。
【図６２】図５９の実施例の第一及び第二ハブ器具の底面図である。
【図６３】図５９の実施例の第一及び第二ハブ器具の背面図である。
【図６４】図５１の実施例のスライドフィンガーリング組立体の斜視図である。
【図６５】図６４の実施例のスライドフィンガーリング組立体の前面図である。
【図６６】図６４の実施例のスライドフィンガーリング組立体の上面図である。
【図６７】図５１の実施例のハブ作動部の斜視図である。
【図６８】図５１の実施例のフィンガーリング組立体とハブ作動部をディスプレイ上に表示した中間調画像の写真である。
【図６９】図５１の実施例のハブ作動部と、ガイド棒と、第一及び第二ハブ器具をディスプレイ上に表示した中間調画像の写真である。
【図７０】図５２の７０−７０線で切断した図５１の外科用器具の断面図である。
【図７１】図５２の７１−７１線で切断した図５１の外科用器具の断面図である。
【図７２】図５１の多機能外科用器具と共に用いられ得るさや圧力解放部材の斜視図である。
【図７３】図７２のさや圧力解放部材の側面図である。
【図７４】図７２のさや圧力解放部材の前面図である。
【図７５】図７４の７５−７５線で切断した図７２のさや圧力解放部材の断面図である。
【図７６】本発明のツール作動組立体の第十実施例の側面図である。
【図７７】図７６のツール作動組立体の斜視図である。
【図７８】図７６のツール作動組立体の内部の作動構成要素を示す図である。
【図７９】図７８のツール作動組立体の針と、第一ロック部材と、ハブとを示す図である。
【符号の説明】
１００、２００、３００、４００、５００、６００、７００、８００、９００、１０００・・・外科用器具、１１０、２１０、３１０、４１０、５１０、６１０、７１０、８１０、９１０、１０１０・・・ボディ部、１３０、２３０、３３０、４３０、５３０、６３０、７３０、８３０、９３０、１０３０・・・フィンガーリング部、１５０、２５０、３５０、４５０、５５０、５６０、１０７０・・・第一外科用ツール、１６０、２６０、３６０、４６０、５６０、６６０、１０６０・・・第二外科用ツール、７４０、８４０、９４０・・・第一ハブ器具、７５０、８５０、９５０・・・第二ハブ器具、７６０・・・ツール選択ロックスイッチ、８６０・・・第一作動ボタン、８６２・・・第二作動ボタン、９６０・・・ハブ作動部
【図１】
0004090164.tif 000002
【図２】
0004090164.tif 000003
【図３】
0004090164.tif 000004
【図４】
0004090164.tif 000005
【図５】
0004090164.tif 000006
【図６】
0004090164.tif 000007
【図７】
0004090164.tif 000008
【図８】
0004090164.tif 000009
【図９】
0004090164.tif 000010
【図１０】
0004090164.tif 000011
【図１１】
0004090164.tif 000012
【図１２】
0004090164.tif 000013
【図１３】
0004090164.tif 000014
【図１４】
0004090164.tif 000015
【図１５】
0004090164.tif 000016
【図１６】
0004090164.tif 000017
【図１７】
0004090164.tif 000018
【図１８】
0004090164.tif 000019
【図１９】
0004090164.tif 000020
【図２０】
0004090164.tif 000021
【図２１】
0004090164.tif 000022
【図２２】
0004090164.tif 000023
【図２３】
0004090164.tif 000024
【図２４】
0004090164.tif 000025
【図２５】
0004090164.tif 000026
【図２６】
0004090164.tif 000027
【図２７】
0004090164.tif 000028
【図２８】
0004090164.tif 000029
【図２９】
0004090164.tif 000030
【図３０】
0004090164.tif 000031
【図３１】
0004090164.tif 000032
【図３２】
0004090164.tif 000033
【図３３】
0004090164.tif 000034
【図３４】
0004090164.tif 000035
【図３５】
0004090164.tif 000036
【図３６】
0004090164.tif 000037
【図３７】
0004090164.tif 000038
【図３８】
0004090164.tif 000039
【図３９】
0004090164.tif 000040
【図４０】
0004090164.tif 000041
【図４１】
0004090164.tif 000042
【図４２】
0004090164.tif 000043
【図４３】
0004090164.tif 000044
【図４４】
0004090164.tif 000045
【図４５】
0004090164.tif 000046
【図４６】
0004090164.tif 000047
【図４７】
0004090164.tif 000048
【図４８】
0004090164.tif 000049
【図４９】
0004090164.tif 000050
【図５０】
0004090164.tif 000051
【図５１】
0004090164.tif 000052
【図５２】
0004090164.tif 000053
【図５３】
0004090164.tif 000054
【図５４】
0004090164.tif 000055
【図５５】
0004090164.tif 000056
【図５６】
0004090164.tif 000057
【図５７】
0004090164.tif 000058
【図５８】
0004090164.tif 000059
【図５９】
0004090164.tif 000060
【図６０】
0004090164.tif 000061
【図６１】
0004090164.tif 000062
【図６２】
0004090164.tif 000063
【図６３】
0004090164.tif 000064
【図６４】
0004090164.tif 000065
【図６５】
0004090164.tif 000066
【図６６】
0004090164.tif 000067
【図６７】
0004090164.tif 000068
【図６８】
0004090164.tif 000069
【図６９】
0004090164.tif 000070
【図７０】
0004090164.tif 000071
【図７１】
0004090164.tif 000072
【図７２】
0004090164.tif 000073
【図７３】
0004090164.tif 000074
【図７４】
0004090164.tif 000075
【図７５】
0004090164.tif 000076
【図７６】
0004090164.tif 000077
【図７７】
0004090164.tif 000078
【図７８】
0004090164.tif 000079
【図７９】
0004090164.tif 000080